(57)【要約】【課題】プリントボードに取り付けるハウジングの小型化を容易に実現できる光コネクタの開発。【解決手段】第１フェルール２２を組み込んだ第１ハウジング２１と、第１フェルール２２に突き合わせ接続される第２フェルール３２が組み込まれ第１ハウジング２１に脱着可能に嵌合される第２ハウジング３１とを有し、第１ハウジング２１は、外部ハウジング２３と、外部ハウジング２３内に収容され、第２ハウジングと嵌合したときに外部ハウジング２３に対する係止を解除可能な内部ハウジング２４とを有し、第２ハウジング３１は、内部ハウジング２４と嵌合するときに外部ハウジング２３の切り欠き部２３ｈに収容されて内部ハウジング２４に係合する弾性係合突片３３ｃを有する光コネクタ１０を提供する。【選択図】図５
2014112218.tif 000002
【特許請求の範囲】
【請求項１】
第１ハウジングと、この第１ハウジングに組み込まれた第１フェルールと、第１ハウジングに脱着可能に嵌合する第２ハウジングと、この第２ハウジングに組み込まれ、前記第２ハウジングを前記第１ハウジングに嵌合したときに前記第１フェルールに突き合わせ接続される第２フェルールとを有し、
前記第１ハウジングは、外部ハウジングと、前記外部ハウジング内に収容され、前記第２ハウジングと嵌合したときに前記外部ハウジングに対する係止を解除可能な内部ハウジングとを有し、
前記第２ハウジングは、前記内部ハウジングと嵌合するときに前記内部ハウジングに係合する弾性係合突片を有し、
前記外部ハウジングは、前記第２ハウジングと前記内部ハウジングが嵌合するときに前記第２ハウジングの前記弾性係合突片の収容される切り欠き部を有する光コネクタ。
【請求項２】
前記第２ハウジングの前記弾性係合突片は、前記第２フェルールを収容するベース部から延出する弾性片部と、この弾性片部の先端部からその側方に突出し、前記外部ハウジングの前記切り欠き部に前記弾性片部とともに収容される張出片部とを有し、
前記外部ハウジングの前記切り欠き部は、外部ハウジング前端から後側に向かって延在し前記弾性係合突片の弾性片部を収容可能に形成された弾性片部収容部と、この弾性片部収容部の後端部からその側方に拡がり前記弾性係合突片の張出片部を収容可能に形成された張出片部収容部とを有し、
前記外部ハウジングにおける前記張出片部収容部の前側に位置する張出片乗り上げ部に、その後端から前側に行くにしたがって外部ハウジング内面からの距離が増大する係合解除用傾斜面が形成されている請求項１に記載の光コネクタ。
【請求項３】
前記第２ハウジングの弾性係合突片と前記第１ハウジングの内部ハウジングとは、その一方の突爪を他方に形成された係合凹所に入り込ませて互いに係合されて、前記第２ハウジングと内部ハウジングとの結合状態を維持する請求項１又は２に記載の光コネクタ。
【請求項４】
（追加）
前記第２ハウジングの弾性係合突片の先端部には、前記第１ハウジングの内部ハウジングに形成された係合凹所に入り込ませて前記内部ハウジングに係脱可能に係合する係合突起が突設され、
前記第１ハウジングの外部ハウジングは、その外面から張り出して前記切り欠き部の後端部を覆い、前記係合突起を前記内部ハウジングの前記係合凹所に入り込ませた前記弾性係合突片の先端部を前記切り欠き部に押さえ込んで、前記係合突起の前記内部ハウジングに対する係合を維持する押さえ片を有し、
前記第２ハウジングの前記弾性係合突片は、前記第２フェルールを収容するベース部から延出する弾性片部と、この弾性片部の先端部から突出する前記係合突起とを有し、前記弾性係合突片の前記係合突起は、その頂部から後側へ行くにしたがって前記弾性片部からの突出寸法が縮小する係合解除部を有し、
第２ハウジングを、前記係合突片押さえ片の前側に位置する前記係合凹所に前記弾性係合突片の前記係合突起を入り込ませて前記第１ハウジングへ押し込むことで、前記第１ハウジングの前記内部ハウジングの前記外部ハウジングに対する係止を解除し、前記内部ハウジングとともに前記外部ハウジングへ押し込んだ前記弾性係合突片先端部を、前記押さえ片の前記内部ハウジング側に挿入できる請求項１に記載の光コネクタ。
【請求項５】
前記第１ハウジングはコネクタ取付壁に取り付けられ、前記第２ハウジングは前記コネクタ取付壁に対して進退動可能なプリントボードに取り付けられ、
前記第２ハウジングは、前記第２フェルールを収容するベース部と、前記第１ハウジングの外部ハウジングと内部ハウジングとの間に確保された挿入突片収容空間に挿入される挿入突片とを有し、
前記ベース部は、その前後方向に垂直の横断面外形が長方形状であり、その横断面長手方向がプリントボードに平行の向きでプリントボードに取り付けられ、
前記挿入突片は、前記ベース部の横断面長手方向両端部からそれぞれ突出され、前記弾性係合突片は、前記ベース部の横断面短手方向両端部の横断面長手方向中央部から突出されている請求項１〜４のいずれか１項に記載の光コネクタ。
【請求項６】
前記第１ハウジングの内部ハウジングは、外部ハウジングに係脱可能に係合する弾性係合片を有し、
前記第２ハウジングは、前記第１ハウジングの内部ハウジングと外部ハウジングとの間に挿入されることで、前記第１ハウジングの前記外部ハウジングに対する前記弾性係合片の係合を解除する係合解除片部を有し、前記係合解除片部は、前記ベース部の横断面長手方向両端部からそれぞれ突出されている請求項５に記載の光コネクタ。
【請求項７】
第１フェルール及び第２フェルールはＭＴフェルールであり、
第２フェルールは、その一対のガイドピン穴の間隔方向を、前記第２ハウジングの両側に設けられた前記弾性係合片の間隔方向に揃えて前記第２ハウジングに収容され、
第１フェルールは、その一対のガイドピン穴の間隔方向を、前記第１ハウジングの両側に設けられた前記切り欠き部の間隔方向に揃えて前記第１ハウジングに収容されている請求項１〜６のいずれか１項に記載の光コネクタ。
【発明の詳細な説明】
【技術分野】
【０００１】
本発明は、光コネクタに関し、フェルールを収容して互いに脱着可能に嵌合する一対のハウジングを有し、ハウジング同士の嵌合によってフェルール同士の突き合わせ接続が実現される構成の光コネクタに関する。
【背景技術】
【０００２】
プラグイン形式の光コネクタとしていわゆるバックプレーンコネクタ（以下、バックプレーン光コネクタとも言う）がある。バックプレーン光コネクタは、プリントボードに取り付けたプリントボードハウジング（以下、ＰＨハウジングとも言う）を、プラグインユニットのバックプレーンに取り付けたバックプレーンハウジング（以下、ＢＨハウジングとも言う）に嵌合して、光コネクタ（プラグ）同士を接続する光コネクタアダプタが組み立てられる構成となっている。
ＢＨハウジングは、バックプレーンに取り付けられた前面ハウジングの内側に、光コネクタが嵌合されるコネクタ穴が貫通する内部ハウジングを収容した構成が一般的である（例えば特許文献１、２）。ＰＨハウジングは、プリントボードに固定されたベース部に、ＢＨハウジングに挿入される挿入片と、ＢＨハウジングの内部ハウジングに係合させる爪付き弾性片とを突設した構成が採用される。ＰＨハウジングは、挿入片を、ＢＨハウジングの前面ハウジングと内部ハウジングとの間に確保された挿入片収容穴に挿入し、ベース部両側から突出する弾性係合爪を、ＢＨハウジングの内部ハウジング両側に係合させてＢＨハウジングに嵌合する。
ＢＨハウジングの前面ハウジングの両側には、内部ハウジングを露出させる窓部が形成されている。ＰＨハウジングのベース部両側から突出する一対の弾性係合爪は、その先端の突爪を、ＢＨハウジングの前面ハウジングの窓部を介して内部ハウジングに係合させて、ＢＨハウジングに嵌合したＰＨハウジングをＢＨハウジングに係止する。
【０００３】
バックプレーン光コネクタは、ＰＨハウジングをＢＨハウジングに嵌合することで、ＰＨハウジングのベース部を貫通するコネクタ穴に嵌合しておいた光コネクタと、ＢＨハウジングの内部ハウジングのコネクタ穴に嵌合しておいた光コネクタとを突き合わせ接続できる。また、ＢＨハウジングに嵌合した状態のＰＨハウジングは、ＢＨハウジングに対して抜き去り方向に引っ張ることで、ＢＨハウジングの内部ハウジングに対する弾性係合爪の係合を解除して、ＢＨハウジングから離脱させることができる。
【０００４】
なお、バックプレーン光コネクタとしては、ＰＨハウジングを、その弾性係合爪をＢＨハウジングの内部ハウジングに係脱可能に係合させてＢＨハウジングに嵌合する構成に限定されず、ＰＨハウジングの弾性係合爪をＢＨハウジングの前面ハウジングに係脱可能に係合させる構成のものもある（例えば特許文献２、３）。
【先行技術文献】
【特許文献】
【０００５】
【特許文献１】特開２００１−３１８２７４号公報
【特許文献２】特開平８−２１１２５０号公報
【特許文献３】特開２００８−４６４３４号公報
【発明の概要】
【発明が解決しようとする課題】
【０００６】
従来のバックプレーン光コネクタのＰＨハウジングの挿入片は、ＰＨハウジングのベース部の互いに離隔する２箇所から突出する一対の弾性係合爪の間に位置する。
ＰＨハウジングの一対の弾性係合爪は、ＰＨハウジングのベース部から突出する弾性片の先端に突爪が突出された構成になっている。ＰＨハウジングをＢＨハウジングに嵌合したとき、ＰＨハウジングの一対の弾性係合爪の弾性片は、ＢＨハウジングの前面ハウジングを介してその両側に配置される。
ＰＨハウジングの一対の弾性係合爪の弾性片間には、ＰＨハウジングを嵌合したＢＨハウジングを配置できる離隔距離が確保されている必要がある。このため、従来のバックプレーン光コネクタのＰＨハウジングの小型化は難しかった。
【０００７】
本発明は、前記課題に鑑みて、プリントボードに取り付けるハウジングの小型化を容易に実現できる光コネクタの提供を目的としている。
【課題を解決するための手段】
【０００８】
上記課題を解決するために、本発明では以下の構成を提供する。
第１の発明は、第１ハウジングと、この第１ハウジングに組み込まれた第１フェルールと、第１ハウジングに脱着可能に嵌合する第２ハウジングと、この第２ハウジングに組み込まれ、前記第２ハウジングを前記第１ハウジングに嵌合したときに前記第１フェルールに突き合わせ接続される第２フェルールとを有し、前記第１ハウジングは、外部ハウジングと、前記外部ハウジング内に収容され、前記第２ハウジングと嵌合したときに前記外部ハウジングに対する係止を解除可能な内部ハウジングとを有し、前記第２ハウジングは、前記内部ハウジングと嵌合するときに前記内部ハウジングに係合する弾性係合突片を有し、前記外部ハウジングは、前記第２ハウジングと前記内部ハウジングが嵌合するときに前記第２ハウジングの前記弾性係合突片の収容される切り欠き部を有する光コネクタを提供する。
第２の発明は、前記第２ハウジングの前記弾性係合突片は、前記第２フェルールを収容するベース部から延出する弾性片部と、この弾性片部の先端部からその側方に突出し、前記外部ハウジングの前記切り欠き部に前記弾性片部とともに収容される張出片部とを有し、 前記外部ハウジングの前記切り欠き部は、外部ハウジング前端から後側に向かって延在し前記弾性係合突片の弾性片部を収容可能に形成された弾性片部収容部と、この弾性片部収容部の後端部からその側方に拡がり前記弾性係合突片の張出片部を収容可能に形成された張出片部収容部とを有し、前記外部ハウジングにおける前記張出片部収容部の前側に位置する張出片乗り上げ部に、その後端から前側に行くにしたがって外部ハウジング内面からの距離が増大する係合解除用傾斜面が形成されている第１の発明の光コネクタを提供する。
第３の発明は、前記第２ハウジングの弾性係合突片と前記第１ハウジングの内部ハウジングとは、その一方の突爪を他方に形成された係合凹所に入り込ませて互いに係合されて、前記第２ハウジングと内部ハウジングとの結合状態を維持する第１又は２の発明の光コネクタを提供する。
第４の発明は、前記第２ハウジングの弾性係合突片の先端部には、前記第１ハウジングの内部ハウジングに形成された係合凹所に入り込ませて前記内部ハウジングに係脱可能に係合する係合突起が突設され、前記第１ハウジングの外部ハウジングは、その外面から張り出して前記切り欠き部の後端部を覆い、前記係合突起を前記内部ハウジングの前記係合凹所に入り込ませた前記弾性係合突片の先端部を前記切り欠き部に押さえ込んで、前記係合突起の前記内部ハウジングに対する係合を維持する押さえ片を有し、前記第２ハウジングの前記弾性係合突片は、前記第２フェルールを収容するベース部から延出する弾性片部と、この弾性片部の先端部から突出する前記係合突起とを有し、前記弾性係合突片の前記係合突起は、その頂部から後側へ行くにしたがって前記弾性片部からの突出寸法が縮小する係合解除部を有し、第２ハウジングを、前記係合突片押さえ片の前側に位置する前記係合凹所に前記弾性係合突片の前記係合突起を入り込ませて前記第１ハウジングへ押し込むことで、前記第１ハウジングの前記内部ハウジングの前記外部ハウジングに対する係止を解除し、前記内部ハウジングとともに前記外部ハウジングへ押し込んだ前記弾性係合突片先端部を、前記押さえ片の前記内部ハウジング側に挿入できる第１の発明の光コネクタを提供する。
第５の発明は、前記第１ハウジングはコネクタ取付壁に取り付けられ、前記第２ハウジングは前記コネクタ取付壁に対して進退動可能なプリントボードに取り付けられ、前記第２ハウジングは、前記第２フェルールを収容するベース部と、前記第１ハウジングの外部ハウジングと内部ハウジングとの間に確保された挿入突片収容空間に挿入される挿入突片とを有し、前記ベース部は、その前後方向に垂直の横断面外形が長方形状であり、その横断面長手方向がプリントボードに平行の向きでプリントボードに取り付けられ、前記挿入突片は、前記ベース部の横断面長手方向両端部からそれぞれ突出され、前記弾性係合突片は、前記ベース部の横断面短手方向両端部の横断面長手方向中央部から突出されている第１〜４のいずれか１つの発明の光コネクタを提供する。
第６の発明は、前記第１ハウジングの内部ハウジングは、外部ハウジングに係脱可能に係合する弾性係合片を有し、前記第２ハウジングは、前記第１ハウジングの内部ハウジングと外部ハウジングとの間に挿入されることで、前記第１ハウジングの前記外部ハウジングに対する前記弾性係合片の係合を解除する係合解除片部を有し、前記係合解除片部は、前記ベース部の横断面長手方向両端部からそれぞれ突出されている第５の発明の光コネクタを提供する。
第７の発明は、第１フェルール及び第２フェルールはＭＴフェルールであり、第２フェルールは、その一対のガイドピン穴の間隔方向を、前記第２ハウジングの両側に設けられた前記弾性係合片の間隔方向に揃えて前記第２ハウジングに収容され、第１フェルールは、その一対のガイドピン穴の間隔方向を、前記第１ハウジングの両側に設けられた前記切り欠き部の間隔方向に揃えて前記第１ハウジングに収容されている第１〜６のいずれか１つの発明の光コネクタを提供する。
【発明の効果】
【０００９】
本発明によれば、第２ハウジングは、弾性係合突片を外部ハウジングの切り欠き部に入り込ませて第１ハウジングの内部ハウジングに係合させることで、第１ハウジングに嵌合する。第２ハウジングの弾性係合突片は、第２ハウジングを第１ハウジングに嵌合したときに、第１ハウジング外側に配置されるのではなく、外部ハウジングの切り欠き部に入り込んで第１ハウジングの内部ハウジングに係合する。このため、第２ハウジングは、従来構成のバックプレーン光コネクタのＰＨハウジングに比べて小型化することが可能である。
サイズの小さい第２ハウジングの採用は、第２ハウジングをプリントボード（プリント回路基板）に取り付けた場合に、プリントボードにおける電気配線回路の形成可能領域を出来るだけ大きく確保することに有利である。また、サイズの小さい第２ハウジングの採用は、バックプレーン、ミドルプレーンといったコネクタ取付壁に第１ハウジングを複数取り付ける場合の設置ピッチの縮小に有効に寄与する。
【図面の簡単な説明】
【００１０】
【図１】本発明の１実施形態の光コネクタの構造を示す分解斜視図である。
【図２】図１の光コネクタの第２ハウジングを第１ハウジングに嵌合した状態を示す斜視図である。
【図３】図１の光コネクタの第１光コネクタの外観を示す図であり、（ａ）は平面図、（ｂ）は正面図、（ｃ）は側面図、（ｄ）は背面図である。
【図４】図１の光コネクタの第２光コネクタの外観を示す図であり、（ａ）は平面図、（ｂ）は背面図、（ｃ）は側面図、（ｄ）は正面図である。
【図５】図１の光コネクタ（第２ハウジングを第１ハウジングから離脱した状態）を説明する図であり、（ａ）は平断面図、（ｂ）は側面図である。
【図６】図１の光コネクタの図５（ｂ）に対応する側断面図である。
【図７】図１の光コネクタの第２ハウジングを第１ハウジングに押し込んで弾性係合突片前端部の突爪を第１ハウジングの内部ハウジングの係合凹所に入り込ませた状態を説明する図であり、（ａ）は平断面図、（ｂ）は側面図である。
【図８】図１の光コネクタの図７（ｂ）に対応する側断面図である。
【図９】図１の光コネクタの第２ハウジングを第１ハウジングに押し込んで、第１ハウジングとの嵌合を完了した状態を説明する図であり、（ａ）は平断面図、（ｂ）は側面図である。
【図１０】図１の光コネクタの図９（ｂ）に対応する側断面図である。
【図１１】本発明に係る実施形態の光コネクタの別態様を説明する図であり、（ａ）は平断面図、（ｂ）は側面図である。
【図１２】図１１の光コネクタの第１ハウジングの突爪と、第２ハウジングの弾性係合片の係合凹所（図示例では係合用窓孔）との関係を略解的に説明する図であり、（ａ）は第２ハウジングを第１ハウジングから離脱した状態、（ｂ）は第２ハウジングの第１ハウジングへの嵌合を完了した状態を示す。
【図１３】本発明に係る別実施形態の光コネクタを示す図であって、（ａ）はこの光コネクタの可動側光コネクタ（第２光コネクタ）を示す斜視図、（ｂ）はこの光コネクタの受け側光コネクタ（第１光コネクタ）を示す斜視図である。
【図１４】図１３の光コネクタ（第２ハウジングを第１ハウジングから離脱した状態）を説明する図であり、（ａ）は平断面図、（ｂ）は側面図である。
【図１５】図１３の光コネクタの第２ハウジングを第１ハウジングに押し込んで、第１ハウジングとの嵌合を完了した状態を説明する図であり、（ａ）は平断面図、（ｂ）は側面図である。
【発明を実施するための形態】
【００１１】
以下、本発明を実施した光コネクタについて、図面を参照して説明する。
図１、図２に示すように、この光コネクタ１０は、プラグインユニット５０のコネクタ取付壁５１に取り付けられた受け側光コネクタ２０（第１光コネクタ）と、プラグインユニット５０に挿脱可能なプリントボード６０（プリント回路基板）に取り付けられた可動側光コネクタ３０（第２光コネクタ）とを有する。
【００１２】
図１に示すように、プラグインユニット５０は、互いに平行に延出する一対のガイド壁５２、５３と、これらガイド壁５２、５３に垂直のコネクタ取付壁５１とを有する。コネクタ取付壁５１は、ミドルプレーンあるいはバックプレーンとして機能するものである。
【００１３】
受け側光コネクタ２０は、コネクタ取付壁５１の片面側に配置された当接突片２３ｂを有する。プラグインユニット５０について、コネクタ取付壁５１を介して受け側光コネクタ２０の当接突片２３ｂが配置されている側を、以下、前面側（又は前側）、この前面側とは反対の側を、以下、背面側とも言う。
受け側光コネクタ２０は、コネクタ取付壁５１に、その前面側に突出状態に取り付けられている。また、受け側光コネクタ２０は、コネクタ取付壁５１に形成された窓孔５１ａ（以下、取付壁窓孔とも言う）に対応させて、コネクタ取付壁５１に取り付けられている。
【００１４】
一対のガイド壁５２、５３の互いに対向する内面側には、プリントボード６０のコネクタ取付壁５１に対する進退動を案内する案内溝５２ａ、５３ａが形成されている。プリントボード６０は、ガイド壁５２、５３の案内溝５２ａ、５３ａに案内されながら、ガイド壁５２、５３に対して垂直の向きを保ったままコネクタ取付壁５１に向かって進退動可能となっている。
なお、ガイド壁５２、５３は図１のみに図示し、他の図では図示を省略している。
【００１５】
図１、図３（ｂ）、図５（ａ）、図６に示すように、受け側光コネクタ２０は、ハウジング２１（第１ハウジング。以下、受け側ハウジングとも言う）の内側にフェルール２２（以下、第１フェルールとも言う）を収容した概略構成となっている。
図４（ｄ）、図５（ａ）、図６に示すように、可動側光コネクタ３０は、ハウジング３１（第２ハウジング。以下、可動側ハウジングとも言う）の内側にフェルール３２（以下、第２フェルールとも言う）を収容した概略構成になっている。
【００１６】
図９（ａ）、図１０に示すように、光コネクタ１０は、可動側ハウジング３１（第２ハウジング）を受け側ハウジング２１（第１ハウジング）に嵌合させることで、フェルール２２、３２同士を突き合わせ接続できる。可動側ハウジング３１は、プリントボード６０をコネクタ取付壁５１に対して進退動させることで、受け側ハウジング２１に対して脱着可能である。可動側ハウジング３１は受け側ハウジング２１に脱着可能に嵌合する。
光コネクタ１０は、可動側ハウジング３１の受け側ハウジング２１に対する脱着によって、フェルール２２、３２同士の接続と接続解除とを切り換えることができる。
【００１７】
図１、図３（ｂ）〜（ｄ）、図５（ａ）、図６に示すように、受け側ハウジング２１は、クリップ２９を用いてコネクタ取付壁５１に取り付けられた外部ハウジング２３の内側に、第１フェルール２２、ピンクランプ２５、スプリング２６を組み込んだ内側ハウジング２４を収容した構成となっている。
【００１８】
図１、図３（ｂ）、（ｄ）に示すように、図示例の外部ハウジング２３は概略角筒状の外部ハウジング胴部２３ａを有する。
外部ハウジング胴部２３ａのその中心軸線に垂直の断面外形は長方形状である。以下、受け側光コネクタ２０について、外部ハウジング胴部２３ａの中心軸線に垂直の断面長手方向を縦方向、断面短手方向を横方向として説明する。また、受け側光コネクタ２０について、受け側ハウジング２１の外部ハウジング胴部２３ａの中心軸線を前後方向として説明する。
【００１９】
図３（ａ）〜（ｄ）、図６に示すように、外部ハウジング２３は、外部ハウジング胴部２３ａの後端部の縦方向両側から突出する当接突片２３ｂを有する。当接突片２３ｂは、外部ハウジング胴部２３ａ後端から若干前側にずれた位置から縦方向両側に突出されている。
図６に示すように、外部ハウジング２３は、外部ハウジング胴部２３ａの当接突片２３ｂから後側に突出された部分（後端筒部）をコネクタ取付壁５１の窓孔５１ａに挿入し、縦方向両側の当接突片２３ｂをコネクタ取付壁５１前面側に配置して、クリップ２９によってコネクタ取付壁５１に取り付けられている。
【００２０】
図３（ａ）〜（ｄ）、図６に示すクリップ２９は、その全体が１枚の金属板によって形成されている。図６に示すように、クリップ２９は、外部ハウジング２３の当接突片２３ｂの基端部を前後方向に貫通するスリット状貫通孔２３ｃ及びコネクタ取付壁５１の取付壁窓孔５１ａに通されて、外部ハウジング胴部２３ａに沿って設けられた基板部２９ａを有する。
【００２１】
また、クリップ２９は、基板部２９ａにおける、スリット状貫通孔２３ｃ及び取付壁窓孔５１ａを介して両側に配置された部分のそれぞれから、外部ハウジング胴部２３ａとは反対側に立ち上げられた係止片部２９ｂ、２９ｃを有している。そして、クリップ２９は、外部ハウジング２３の当接突片２３ｂ及びコネクタ取付壁５１を係止片部２９ｂ、２９ｃ間に保持して、外部ハウジング２３をコネクタ取付壁５１に若干の浮動を許容して取り付けている。
【００２２】
図６において、外部ハウジング２３の縦方向両側の当接突片２３ｂにそれぞれ形成されたスリット状貫通孔２３ｃは、取付壁窓孔５１ａに連通されている。
また、外部ハウジング２３の縦方向両側の当接突片２３ｂのスリット状貫通孔２３ｃを介して外部ハウジング胴部２３ａとは反対の側に位置する部分は、コネクタ取付壁５１にその前側（前面側）から当接可能に配置されている。
【００２３】
外部ハウジング２３の当接突片２３ｂを介してコネクタ取付壁５１とは反対の側（当接突片２３ｂよりもコネクタ取付壁５１前側）に配置された係止片部２９ｂを、以下、前側係止片部とも言う。また、コネクタ取付壁５１前面側とは反対の背面側に配置された係止片部２９ｃを、以下、後側係止片部とも言う。
【００２４】
前側係止片部２９ｂは、受け側ハウジング２１後側に行くにしたがって基板部２９ａから外部ハウジング胴部２３ａとは反対の側（以下、基板部外面側とも言う）への離隔距離が増大するように、基板部２９ａに対して傾斜して形成されている。
後側係止片部２９ｃは、受け側ハウジング２１前側に行くにしたがって基板部２９ａから基板部外面側への離隔距離が増大するように、基板部２９ａに対して傾斜して形成されている。
外部ハウジング２３の当接突片２３ｂ及びコネクタ取付壁５１は、クリップ２９の基板部２９ａから突出する係止片部２９ｂ、２９ｃの先端間に配置されている。
【００２５】
なお、図３（ａ）〜（ｄ）に示すように、図示例のクリップ２９は、一対の基板部２９ａと、一対の基板部２９ａを橋絡する橋絡部２９ｄとを有する。係止片部２９ｂ、２９ｃは、一対の基板部２９ａのそれぞれに設けられている。
一対の基板部２９ａは、長板状の橋絡部２９ｄの両端から橋絡部２９ｄ片面側へ橋絡部２９ｄに対して垂直に張り出されている。クリップ２９は、両側の基板部２９ａを外部ハウジング胴部２３ａの縦方向両側の端板部２３ｄに重ね合わせ、橋絡部２９ｄを外部ハウジング胴部２３ａの横方向両側の側板部２３ｅの一方に重ね合わせて、外部ハウジング胴部２３ａに組み付けられている。
【００２６】
図示例の第１フェルール２２は、具体的には、ＭＴフェルール（ＭＴ形光コネクタ。ＪＩＳ Ｃ ５９８１に制定されるＦ１２形光コネクタ。MT：Mechanically Transferable）である。
第１フェルール２２は、光ファイバ７１（図３（ｄ）参照）の先端に取り付けられている。
【００２７】
光ファイバ７１は、ここでは、単心の光ファイバ心線、あるいは光ファイバ素線といった単心の光ファイバである。第１フェルール２２には光ファイバ７１の先端部が内挿固定されている。図３（ｂ）に示すように、第１フェルール２２前端（先端）の接合端面２２ａには、第１フェルール２２に先端部を内挿固定した光ファイバ７１の裸光ファイバ７１ａの先端面が露出されている。
【００２８】
図３（ｂ）に示すように、第１フェルール２２には、複数本（図示例では４８本）の光ファイバ７１の先端部が内挿固定されている。
図３（ｂ）、図５（ａ）において、第１フェルール２２に先端部を内挿固定した複数本の光ファイバ７１の第１フェルール２２から後側に延出した部分は、保護チューブ７２に収容されている。第１フェルール２２は、複数本の光ファイバ７１を保護チューブ７２に収容した光ファイバユニット７３の先端に設けられている。
【００２９】
なお、第１フェルール２２に先端部を内挿固定する光ファイバとしては、単心の光ファイバ心線、あるいは光ファイバ素線といった単心光ファイバに限定されない。
この光ファイバとしては、例えば、多心の光ファイバテープ心線等も採用可能である。
【００３０】
図１、図５（ａ）、図６に示すように、受け側ハウジング２１の内部ハウジング２４には、フェルール収容孔２４ａが形成されている。フェルール収容孔２４ａは、内部ハウジング２４の縦方向に互いに離隔する複数箇所（図示例では２箇所）に形成されている。  第１フェルール２２は、内部ハウジング２４の複数のフェルール収容孔２４ａのそれぞれに１つずつ収容されている。
各第１フェルール２２は、その一対のガイドピン穴２２ｃ（図１参照）の間隔方向を、内部ハウジング２４横方向に揃えて、内部ハウジング２４に収容されている。
【００３１】
また、各フェルール収容孔２４ａは、内部ハウジング２４の後端から窪んで形成された後部凹所２４ｐに連通されている。各フェルール収容孔２４ａは、後部凹所２４ｐからその前側へ延在形成されている。
後部凹所２４ｐには、第１フェルール２２の接合端面２２ａとは反対の後側に配置されたピンクランプ２５と、ピンクランプ２５の後側に配置されたスプリング２６とが収容されている。
【００３２】
図５（ａ）に示すように、フェルール収容孔２４ａの内面には、第１フェルール２２のフェルール収容孔２４ａから内部ハウジング２４前側への脱落を防ぐ抜き止め突起２４ｂが突設されている。
第１フェルール２２は、その後端部外周に突出するフランジ部２２ｂが、抜き止め突起２４ｂにその後側から当接することで、フェルール収容孔２４ａから内部ハウジング２４前側への脱落が規制される。
第１フェルール２２は、そのフランジ部２２ｂが抜き止め突起２４ｂにその後側から当接したときに、接合端面２４ａ側の前端部が、フェルール収容孔２４ａから内部ハウジング２４前側へ突出した状態となる。
【００３３】
図５（ａ）、図６に示す図示例のスプリング２６は、具体的にはコイルスプリングである。このスプリング２６（コイルスプリング）は、光ファイバユニット７３に外挿して、ピンクランプ２５と、内部ハウジング２４後端部に嵌合して取り付けられたスプリング受け部材２７（スプリング押し）との間に介装されている。
受け側ハウジング２１は、このスプリング受け部材２７も含む。
【００３４】
スプリング受け部材２７は、スプリング２６が当接される板状の受け部材本体２７ａを有する。このスプリング受け部材２７は、受け部材本体２７ａの両側（受け部材本体２７ａの受け側光コネクタ２０横方向における両側）から突出する係合突爪２７ｂを、内部ハウジング２４の両側に形成された係止用窓孔２４ｋに入り込ませて内部ハウジング２４に嵌合されている。係合突爪２７ｂは、スプリング受け部材２７の、内部ハウジング２４に対するその後側への脱落を規制する機能を果たす。
【００３５】
図１、図５（ａ）、（ｂ）、図６に示すように、第１フェルール２２は、可動側光コネクタ３０が受け側光コネクタ２０から離脱されており、内部ハウジング２４に対する受け側光コネクタ２０後方への押し込み力が作用していないとき、スプリング２６の弾性付勢力によって、フランジ部２２ｂが抜き止め突起２４ｂにその後側から圧接される。スプリング２６は、第２フェルール３２を、可動側内部ハウジング３４前側へ向かって弾性付勢している。
【００３６】
第１フェルール２２について、図５（ａ）、（ｂ）、図６に示す内部ハウジング２４に対する位置、すなわち、フランジ部２２ｂが抜き止め突起２４ｂにその後側から当接するときの位置を、以下、初期位置とも言う。図１、図３（ａ）〜（ｄ）に示す受け側光コネクタ２０の第１フェルール２２は内部ハウジング２４に対して初期位置にある。
【００３７】
図５（ａ）、図６等において、第１フェルール２２のフランジ部２２ｂを含む後端部は、内部ハウジング２４のフェルール収容孔２４ａに、内部ハウジング２４前後方向（フェルール収容孔２４ａ中心軸線方向に一致）に移動自在に収容されている。
初期位置にある第１フェルール２２は、内部ハウジング２４前側から受け側光コネクタ２０後方への押し込み力によって、スプリング２６を押し縮めながら初期位置から内部ハウジング２４に対してその後方へ向かって押し込むことができる。第１フェルール２２の後端部は、第１フェルール２２が初期位置から内部ハウジング２４に対してその後方へ向かって押し込まれていくに伴い、内部ハウジング２４の後部凹所２４ｐに押し出されていく。
また、内部ハウジング２４に対して初期位置よりも後側へ押し込まれた第１フェルール２２は、内部ハウジング２４後方への押し込み力が解除されると、スプリング２６の弾性付勢力によって初期位置に配置される。
【００３８】
図６に示すように、内部ハウジング２４は、フェルール収容孔２４ａが形成された内部ハウジング本体２４ｃと、この内部ハウジング本体２４ｃから突出する弾性係合片２４ｄとを有する。
図３（ｂ）、図６に示すように、フェルール収容孔２４ａは内部ハウジング本体２４ｃに複数（図示例では２つ）形成されている。複数のフェルール収容孔２４ａは、それぞれの中心軸線が互いに平行の向きで内部ハウジング本体２４ｃに形成されている。内部ハウジング２４は、内部ハウジング本体２４ｃのフェルール収容孔２４ａの中心軸線が、角筒状の外部ハウジング胴部２３ａの中心軸線に平行の向きで、外部ハウジング２３内側に収容されている。
【００３９】
図３（ｄ）に示すように、外部ハウジング胴部２３ａの内側領域の、外部ハウジング胴部２３ａ軸線方向に垂直の断面は長方形状である。
図６等に示すように、内部ハウジング本体２４ｃは、外部ハウジング胴部２３ａ内面に沿う長方形状の断面外形を以て、フェルール収容孔２４ａの中心軸線方向に一致する前後方向に延在するハウジングメイン部２４ｅと、このハウジングメイン部２４ｅから前側に突出する前側筒部２４ｆとを有する。後部凹所２４ｐはハウジングメイン部２４ｅに形成されている。
ハウジングメイン部２４ｅは、その前後方向に垂直の断面長手方向を、外部ハウジング２３縦方向に一致させて、外部ハウジング胴部２３ａ内に収容されている。
【００４０】
図６等に示すように、図示例の内部ハウジング２４の弾性係合片２４ｄは、内部ハウジング本体２４ｃのハウジングメイン部２４ｅの縦方向両側に設けられている。
弾性係合片２４ｄは、ハウジングメイン部２４ｅ前端部の縦方向の端部から前側へ延出する弾性延出片２４ｇを有し、この弾性延出片２４ｇの先端部に、一対の弾性係合片２４ｄの互いに対面する内面側とは反対の側に突出する係合爪２４ｈを有する構成となっている。
【００４１】
図３（ｄ）、図６等に示すように、また、内部ハウジング２４は、その内部ハウジング本体２４ｃの後端部から前後方向に垂直の方向に突出する前進規制突起２４ｉを有している。前進規制突起２４ｉは、外部ハウジング２３の後側、具体的には、外部ハウジング胴部２３ａの後側に配置されている。前進規制突起２４ｉは、外部ハウジング２３にその後側から当接することで、内部ハウジング２４の外部ハウジング２３に対する前進を規制する。
【００４２】
図６等に示すように、内部ハウジング２４は、弾性係合片２４ｄの係合爪２４ｈを、外部ハウジング２３の挿入突片２３ｂに形成された係合爪用窓孔２３ｇに入り込ませ、この係合爪２４ｈと前進規制突起２４ｉとの間に、外部ハウジング２３の一部を保持して外部ハウジング２３に嵌合されている。
外部ハウジング２３に嵌合された内部ハウジング２４は、外部ハウジング２３の係合爪用窓孔２３ｇに入り込ませた弾性係合片２４ｄの係合爪２４ｈによって、外部ハウジング２３に対するその後方への相対移動が規制されている。また、この内部ハウジング２４は、外部ハウジング２３後側に配置された前進規制突起２４ｉによって、外部ハウジング２３に対するその前方への相対移動が規制されている。
【００４３】
図５（ａ）、（ｂ）等に示すように、フェルール収容孔２４ａは、内部ハウジング本体２４ｃにおける外部ハウジング２３縦方向（両側の端板部２３ｄの間隔方向）に一致する縦方向の複数箇所に形成されている。
フェルール収容孔２４ａの前端は、前側筒部２４ｆの前端（内部ハウジング本体２４ｃの前端）に開口している。フェルール収容孔２４ａは、内部ハウジング本体２４ｃの前側筒部２４ｆ前端から後部凹所２４ｐまで、内部ハウジング２４前後方向に延在形成されている。
内部ハウジング２４に対して初期位置にある第１フェルール２２は、内部ハウジング本体２４ｃ前側に開口するフェルール収容孔２４ａの開口部から内部ハウジング２４前側へ突出する。
【００４４】
図３（ｄ）、図５（ａ）、図６に示すように、スプリング受け部材２７の受け部材本体２７ａには、光ファイバユニット７３を通すためのファイバ挿通孔２７ｃが形成されている。図示例の光コネクタ１０の受け側光コネクタ２０において、スプリング受け部材２７のファイバ挿通孔２７ｃは、内部ハウジング２４の複数（図示例では２つ）のフェルール収容孔２４ａに対応させて受け部材本体２７ａの互いに離隔する複数箇所（図示例では２箇所）に形成されている。
光ファイバユニット７３は、スプリング受け部材２７のファイバ挿通孔２７ｃに通して、受け側光コネクタ２０からその後側へ延出している。
【００４５】
次に可動側光コネクタ３０を説明する。
図１、図４（ａ）、図５（ａ）、図６に示すように、可動側光コネクタ３０の可動側ハウジング３１は、クリップ３９を用いてプリントボード６０に取り付けられた外部ハウジング３３と、この外部ハウジング３３の内側に収容された内側ハウジング３４とを有する。また、可動側光コネクタ３０は、内側ハウジング３４に組み込まれた第２フェルール３２、スプリング受けブロック３５、スプリング３６を含む。
以下、可動側ハウジング３１の外部ハウジング３３を可動側外部ハウジング、可動側ハウジング３１の内部ハウジング３３を可動側内部ハウジングとも言う。
【００４６】
図１、図４（ｂ）、（ｄ）に示すように、図示例の可動側外部ハウジング３３は概略角筒状の外部ハウジング胴部３３ａを有する。
外部ハウジング胴部３３ａのその中心軸線に垂直の断面外形は長方形状である。以下、可動側光コネクタ３０について、外部ハウジング胴部３３ａの中心軸線に垂直の断面長手方向を縦方向、断面短手方向を横方向として説明する。また、可動側光コネクタ３０について、外部ハウジング胴部３３ａの中心軸線を前後方向として説明する。
【００４７】
図１、図４（ａ）〜（ｄ）、図５（ａ）、（ｂ）、図６に示すように、可動側外部ハウジング３３は、既述の外部ハウジング胴部３３ａから前側に突出する挿入突片３３ｂ及び弾性係合突片３３ｃを有する。
【００４８】
図示例の可動側外部ハウジング３３の角筒状の外部ハウジング胴部３３ａは、縦方向両側の端板部３３ｄと、横方向両側の側板部３３ｅとで構成されている。挿入突片３３ｂは、外部ハウジング胴部３３ａの縦方向両端部から前側に突出されている。可動側外部ハウジング３３は、外部ハウジング胴部３３ａの前側に一対の挿入突片３３ｂを有する。
【００４９】
弾性係合突片３３ｃは、外部ハウジング胴部３３ａの両側の側板部３３ｅの可動側外部ハウジング３３縦方向における中央部からそれぞれ前側に延出されている。可動側外部ハウジング３３は、外部ハウジング胴部３３ａの前側に一対の弾性係合突片３３ｃを有する。
【００５０】
図１、図５（ａ）等に示すように、可動側外部ハウジング３３は、その縦方向（外部ハウジング胴部３３ａ両側の側板部３３ｅの間隔方向）がプリントボード６０に垂直の向きで、クリップ３９を用いてプリントボード６０に取り付けられている。可動側外部ハウジング３３の横方向両側の側板部３３ｅはプリントボード６０に平行になっている。
【００５１】
図１に示すように、図示例のクリップ３９は、その全体が１枚の金属板によって形成されている。このクリップ３９は、基板部３９ａと、この基板部３９ａの両側から、基板部３９ａ片面側に互いに平行に延出する舌片状の嵌合片部３９ｂとを有する。基板部３９ａはＶ字板状に形成されている。クリップ３９は、基板部３９ａの嵌合片部３９ｂと繋がっている両端間に位置する部分が、一対の嵌合片部３９ｂ間の領域に張り出す、Ｍ字板状に形成されている。
【００５２】
クリップ３９の基板部３９ａは、プリントボード６０を介して可動側光コネクタ３０とは反対の側に配置されている。クリップ３９の一対の嵌合片部３９ｂは、プリントボード６０を貫通するスリット状貫通孔６１（図１、図２、図５（ａ）参照）に通されている。スリット状貫通孔６１は図１、図２、図５（ａ）のみに図示し、他の図面での図示を省略している。そして、クリップ３９は、一対の嵌合片部３９ｂのプリントボード６０を介して基板部３９ａとは反対の側に突出された先端嵌合部３９ｃを、可動側外部ハウジング３３の両側の端板部３３ｄ外面から窪む嵌合凹所３３ｈに嵌合させて、可動側外部ハウジング３３に組み付けられている。可動側光コネクタ３０は、可動側外部ハウジング３３と、この可動側外部ハウジング３３に組み付けられたクリップ３９の基板部３９ａとの間にプリントボード６０を挟み込んで、クリップ３９によってプリントボード６０に弾性的に取り付けられている。
【００５３】
なお、図５（ａ）に示すように、図示例では、可動側外部ハウジング３３とプリントボード６０との間にプレート状のスペーサ３９１を介装している。可動側外部ハウジング３３と、この可動側外部ハウジング３３に組み付けられたクリップ３９の基板部３９ａとの間には、プリントボード６０に加えてスペーサ３９１をも挟み込んでいる。
【００５４】
図示例の第２フェルール３２は、具体的には、ＭＴフェルール（ＭＴ形光コネクタ。ＪＩＳ Ｃ ５９８１に制定されるＦ１２形光コネクタ。MT：Mechanically Transferable）である。
第２フェルール３２は、光ファイバ８１（図４（ｂ）参照）の先端に取り付けられている。
【００５５】
光ファイバ８１は、ここでは、単心の光ファイバ心線、あるいは光ファイバ素線といった単心の光ファイバである。第２フェルール３２には光ファイバ８１の先端部が内挿固定されている。図３（ｂ）に示すように、第２フェルール３２前端（先端）の接合端面３２ａには、第２フェルール３２に先端部を内挿固定した光ファイバ８１の裸光ファイバ８１ａの先端面が露出されている。
【００５６】
図３（ｂ）に示すように、第２フェルール３２には、複数本（図示例では４８本）の光ファイバ８１の先端部が内挿固定されている。
図３（ｂ）、図５（ａ）において、第２フェルール３２に先端部を内挿固定した複数本の光ファイバ８１の第２フェルール３２から後側に延出した部分は、保護チューブ８２に収容されている。第２フェルール３２は、複数本の光ファイバ８１を保護チューブ８２に収容した光ファイバユニット８３の先端に設けられている。
【００５７】
なお、第２フェルール３２に先端部を内挿固定する光ファイバとしては、単心の光ファイバ心線、あるいは光ファイバ素線といった単心光ファイバに限定されない。
この光ファイバとしては、例えば、多心の光ファイバテープ心線等も採用可能である。
【００５８】
図１、図５（ａ）、図６に示すように、第２フェルール３２は、可動側内部ハウジング３４に形成されたフェルール収容孔３４ａに収容されている。
可動側内部ハウジング３４は、フェルール収容孔３４ａが形成された内部ハウジング本体３４ｃ（以下、可動側内部ハウジング本体とも言う）と、この内部ハウジング本体３４ｃから突出する弾性係合片３４ｄとを有する。
【００５９】
図４（ｄ）、図６に示すように、フェルール収容孔３４ａは可動側内部ハウジング本体３４ｃに複数（図示例では２つ）形成されている。複数のフェルール収容孔３４ａは、それぞれの中心軸線が互いに平行の向きで可動側内部ハウジング本体３４ｃに形成されている。可動側内部ハウジング３４は、可動側内部ハウジング本体３４ｃのフェルール収容孔３４ａの中心軸線が、角筒状の可動側外部ハウジング胴部３３ａの中心軸線に平行の向きで、可動側外部ハウジング３３内側に収容されている。
【００６０】
図４（ｂ）に示すように、可動側外部ハウジング胴部３３ａの内側領域の、可動側外部ハウジング胴部３３ａ軸線方向に垂直の断面は長方形状である。
図６等に示すように、可動側内部ハウジング本体３４ｃは、可動側外部ハウジング胴部３３ａ内面に沿う長方形状の断面外形を以て、フェルール収容孔３４ａの中心軸線方向に一致する前後方向に延在するハウジングメイン部３４ｅと、このハウジングメイン部３４ｅから前側に突出する前側筒部３４ｆとを有する。
ハウジングメイン部３４ｅは、その前後方向に垂直の断面長手方向を、可動側外部ハウジング３３縦方向に一致させて、可動側外部ハウジング胴部３３ａ内に収容されている。
【００６１】
図６等に示すように、可動側内部ハウジング３４の弾性係合片３４ｄは、可動側内部ハウジング本体３４ｃのハウジングメイン部３４ｅの両側に設けられている。図示例の可動側内部ハウジング３４において、弾性係合片３４ｄは、ハウジングメイン部３４ｅの縦方向両側に設けられている。
弾性係合片３４ｄは、ハウジングメイン部３４ｅ前端部の縦方向の端部から前側へ延出する弾性延出片３４ｇを有し、この弾性延出片３４ｇの先端部に、一対の弾性係合片３４ｄの互いに対面する側とは反対の側に突出する係合爪３４ｈを有する構成となっている。
【００６２】
図１、図２、図６等に示すように、また、可動側内部ハウジング３４は、その内部ハウジング本体３４ｃの後端部から前後方向に垂直の方向に突出する前進規制突起３４ｉを有している。前進規制突起３４ｉは、可動側外部ハウジング３３の後側、具体的には、可動側外部ハウジング胴部３３ａの後側に配置されている。前進規制突起３４ｉは、可動側外部ハウジング３３にその後側から当接することで、可動側内部ハウジング３４の可動側外部ハウジング３３に対する前進を規制する。
【００６３】
図６等に示すように、可動側内部ハウジング３４は、弾性係合片３４ｄの係合爪３４ｈを、可動側外部ハウジング３３の挿入突片３３ｂに形成された係合爪用窓孔３３ｇに入り込ませ、この係合爪３４ｈと前進規制突起３４ｉとの間に、可動側外部ハウジング３３の一部を保持して可動側外部ハウジング３３に嵌合されている。
可動側外部ハウジング３３に嵌合された可動側内部ハウジング３４は、可動側外部ハウジング３３の係合爪用窓孔３３ｇに入り込ませた弾性係合片３４ｄの係合爪３４ｈによって、可動側外部ハウジング３３に対するその後方への相対移動が規制されている。また、この可動側内部ハウジング３４は、可動側外部ハウジング３３後側に配置された前進規制突起３４ｉによって、可動側外部ハウジング３３に対するその前方への相対移動が規制されている。
【００６４】
図６等に示すように、可動側ハウジング３１は、内部ハウジング３４のハウジングメイン部３４ｅと、外部ハウジング胴部３３ａとで構成されるベース部３１ａを有している。可動側ハウジング３１は、ベース部３１ａから前側へ挿入突片３３ｂ及び弾性係合突片３３ｃが突出された構成となっている。
なお、可動ハウジング３１は、内部ハウジング３４を外部ハウジング３３に収容した構成に限定されず、例えば、内部ハウジング３４と外部ハウジング３３とを一体化した構成のハウジング本体を有する構成も採用可能である。
【００６５】
図５（ａ）、（ｂ）等に示すように、可動側内部ハウジング３４の前側筒部３４ｆは、可動側外部ハウジング３３の外部ハウジング胴部３３ａ前側の挿入突片３３ｂ及び弾性係合突片３３ｃによって取り囲まれた内側の領域に配置されている。
フェルール収容孔３４ａは、可動側内部ハウジング本体３４ｃにおける可動側外部ハウジング３３縦方向（両側の端板部３３ｄの間隔方向）に一致する縦方向の複数箇所に形成されている。
フェルール収容孔３４ａの前端は、可動側内部ハウジング本体３４ｃの前側筒部３４ｆの前端に開口している。フェルール収容孔３４ａは、可動側内部ハウジング本体３４ｃの前側筒部３４ｆ前端から、ハウジングメイン部３４ａにその後端から窪んで形成された後部凹所３４ｐまで、可動側内部ハウジング３４前後方向に延在形成されている。
【００６６】
第２フェルール３２は、可動側内部ハウジング３４の複数のフェルール収容孔３４ａにひとつずつ収容されている。
図４（ｄ）に示すように、各第２フェルール３２は、その一対のガイドピン穴３２ｃの間隔方向を、内部ハウジング３４横方向に揃えて、内部ハウジング３４に収容されている。
【００６７】
また、各フェルール収容孔３４ａは、可動側内部ハウジング３４に形成された後部凹所３４ｐに連通されている。各フェルール収容孔３４ａは、後部凹所３４ｐからその前側へ延在形成されている。
後部凹所３４ｐには、第２フェルール３２の接合端面３２ａとは反対の後側に配置されたスプリング受けブロック３５と、スプリング受けブロック３５の後側に配置されたスプリング３６とが収容されている。
【００６８】
図１、図５（ａ）に示すように、受け側光コネクタ２０の第１フェルール２２の一対のガイドピン穴２２ｃにはガイドピン２２ｄが内挿嵌合されている。
ガイドピン２２ｄは、第１フェルール２２をその前後方向に貫通するガイドピン穴２２ｃに通されている。ガイドピン２２ｄの先端側は第１フェルール２２の接合端面２２ａよりも前側へ突出されている。また、ガイドピン２２ｄのフェルール２２後側に突出された後端部はピンクランプ２５に固定されている。
【００６９】
一方、可動側光コネクタ３０の第２フェルール３２のガイドピン穴３２ｃ（図４（ｄ）参照）は、ガイドピンが内挿嵌合されていない、空の状態になっている。
第１フェルール２２と第２フェルール３２とは、可動側ハウジング３１を受け側ハウジング２１に嵌合させたとき、第１フェルール２２に嵌合された一対のガイドピン２２ｄの第１フェルール２２前側に突出する部分が第２フェルール３２のガイドピン穴３２ｃに挿脱可能に内挿嵌合されることで、互いに高精度に位置決めした状態で突き合わせ接続される。
【００７０】
なお、図示例では、ガイドピンを第１フェルール２２に設けた構成を例示したが、ガイドピンは、第２フェルール３２に設けても良い。
図示例の可動側光コネクタ３０のスプリング受けブロック３５は、受け側光コネクタ２０のピンクランプ２５と同様の部材を使用している。ガイドピンを第２フェルール３２に設けた場合には、ガイドピンの第２フェルール３２後側に突出した部分をスプリング受けブロック３５に固定できる。
ガイドピンを第２フェルール３２に設けた場合は、第１フェルール２２にはガイドピンを設けない。
【００７１】
図５（ａ）に示すように、フェルール収容孔３４ａの内面には、第２フェルール３２のフェルール収容孔３４ａから内部ハウジング３４前側への脱落を防ぐ抜き止め突起３４ｂが突設されている。
第２フェルール３２は、その後端部外周に突出するフランジ部３２ｂが、抜き止め突起３４ｂにその後側から当接することで、フェルール収容孔３４ａから内部ハウジング３４前側への脱落が規制される。
第２フェルール３２は、そのフランジ部３２ｂが抜き止め突起３４ｂにその後側から当接したときに、接合端面３４ａを形成する前端部が、フェルール収容孔３４ａから内部ハウジング３４前側へ突出した状態となる。
【００７２】
図５（ａ）、図６に示す図示例のスプリング３６は、具体的にはコイルスプリングである。このスプリング３６（コイルスプリング）は、光ファイバユニット８３に外挿して、スプリング受けブロック３５と、内部ハウジング３４後端部に嵌合して取り付けられたスプリング受け部材３７（スプリング押し）との間に介装されている。
可動側ハウジング３１は、このスプリング受け部材３７も含む。
【００７３】
スプリング受け部材３７は、スプリング３６が当接される板状の受け部材本体３７ａを有する。このスプリング受け部材３７は、受け部材本体３７ａの両側（受け部材本体３７ａの可動側光コネクタ３０横方向における両側）から突出する係合突爪３７ｂを有する。スプリング受け部材３７は、係合突爪３７ｂを、内部ハウジング３４のハウジングメイン部３４ｅの両側（図示例では横方向両側）に形成された係止用窓孔３４ｊに入り込ませて内部ハウジング３４に嵌合されている。係合突爪３７ｂは、スプリング受け部材３７の、内部ハウジング３４に対するその後側への脱落を規制する機能を果たす。
【００７４】
図１、図５（ａ）、（ｂ）、図６に示すように、第２フェルール３２は、可動側光コネクタ３０が受け側光コネクタ２０から離脱され、可動側内部ハウジング３４に対する可動側光コネクタ３０後方への押し込み力が作用していないとき、スプリング３６の弾性付勢力によって、フランジ部３２ｂが抜き止め突起３４ｂにその後側から圧接される。スプリング３６は、第２フェルール３２を、可動側内部ハウジング３４前側へ向かって弾性付勢している。
【００７５】
可動側光コネクタ３０の第２フェルール３２について、図５（ａ）、（ｂ）、図６に示す可動側内部ハウジング３４に対する位置、すなわち、フランジ部３２ｂが抜き止め突起３４ｂにその後側から当接するときの位置を、以下、初期位置とも言う。図１、図４（ａ）〜（ｄ）に示す可動側光コネクタ３０の第２フェルール３２は初期位置にある。
【００７６】
図５（ａ）、図６等において、第２フェルール３２のフランジ部３２ｂを含む後端部は、可動側内部ハウジング３４のフェルール収容孔３４ａに、可動側内部ハウジング３４前後方向（フェルール収容孔３４ａ中心軸線方向に一致）に移動自在に収容されている。
初期位置にある第２フェルール３２は、可動内部ハウジング３４前側から可動側光コネクタ３０後方への押し込み力によって、スプリング３６を押し縮めながら初期位置から可動側内部ハウジング３４に対してその後方へ向かって押し込むことができる。第２フェルール３２の後端部は、第２フェルール３２が初期位置から可動側内部ハウジング３４に対してその後方へ向かって押し込まれていくに伴い、可動側内部ハウジング３４の後部凹所３４ｐに押し出されていく。
また、可動内部ハウジング３４に対して初期位置よりも後側へ押し込まれた第２フェルール３２は、可動側内部ハウジング３４後方への押し込み力が解除されると、スプリング３６の弾性付勢力によって初期位置に配置される。
【００７７】
図３（ｄ）、図５（ａ）、図６に示すように、スプリング受け部材３７の受け部材本体３７ａには、光ファイバユニット８３を通すためのファイバ挿通孔３７ｃが形成されている。図示例の光コネクタ１０の可動側光コネクタ３０において、スプリング受け部材３７のファイバ挿通孔３７ｃは、内部ハウジング３４の複数（図示例では２つ）のフェルール収容孔３４ａに対応させて受け部材本体３７ａの互いに離隔する複数箇所（図示例では２箇所）に形成されている。
光ファイバユニット８３は、スプリング受け部材３７のファイバ挿通孔３７ｃに通して、可動側光コネクタ３０からその後側へ延出している。
【００７８】
図６に示すように、可動側内部ハウジング３４は、可動側外部ハウジング胴部３３ａ内面に沿う外面を有する内部ハウジング本体３４ｃと、この内部ハウジング本体３４ｃの縦方向両側から突出する弾性係合片３４ｄとを有する。
可動側内部ハウジング３４の第２フェルール収容孔３４ａは内部ハウジング本体３４ｃに形成されている。第２フェルール収容孔３４ａは内部ハウジング本体３４ｃ前側に開口している。可動側内部ハウジング３４に対して初期位置にある第２フェルール３２の前端部は、フェルール収容孔３４ａの内部ハウジング本体３４ｃ前側に開口する開口部から内部ハウジング３４前側へ突出する。
【００７９】
図３（ｂ）、図６に示すように、受け側ハウジング２１の縦方向両端部には、外部ハウジング２３（以下、受け側外部ハウジングとも言う）と内部ハウジング２４（以下、受け側内部ハウジングとも言う）との間に、可動側外部ハウジング３３の挿入突片３３ｂが挿入される隙間２１ａ（以下、挿入突片収容空間とも言う）が確保されている。この挿入突片収容空間２１ａは、具体的には、受け側外部ハウジング２３の外部ハウジング胴部２３ａの前端部の縦方向両端部と、その内面に対面する受け側内部ハウジング２４の縦方向に複数配列されている前側筒部２４ｆのうち外部ハウジング胴部２３ａの端板部２３ｄに対して最も接近して配置されているものとの間に確保されている。
また、受け側外部ハウジング２３両側の側板部２３ｄには、可動側外部ハウジング３３の弾性係合突片３３ｃを収容するための切り欠き部２３ｈが形成されている。
【００８０】
図５（ａ）、（ｂ）、図６等に示すように、可動側外部ハウジング３３の弾性係合突片３３ｃは、可動側外部ハウジング３３の側板部３３ｅの縦方向中央部を可動側外部ハウジング３３前側へ延長した弾性片部３３ｉと、この弾性片部３３ｉの先端部から縦方向両側に張り出す張出片部３３ｊとを有する。また、弾性係合突片３３ｃは、弾性片部３３ｉ先端部から、一対の弾性係合突片３３ｃの対向する相手側の弾性係合突片３３ｃに向かって突出する突爪３３ｋを有する。
【００８１】
受け側外部ハウジング２３の切り欠き部２３ｈは、受け側外部ハウジング２３の外部ハウジング胴部２３ａの側板部２３ｄ前端から受け側外部ハウジング２３後側へ向かって延在する弾性片部収容部２３ｉと、この弾性片部収容部２３ｉの後端部から縦方向両側に拡がる張出片部収容部２３ｊとを有する。
図３（ｃ）、図５（ｂ）等に示すように、図示例の受け側外部ハウジング２３は、その側板部２３ｄにおける切り欠き部２３ｈの弾性片部収容部２３ｉを介して両側に位置する部分から弾性片部収容部２３ｉ側に突出する突起状の張出片乗り上げ部２３ｎを有する。弾性片部収容部２３ｉ（以下、弾性片部収容切り欠き部とも言う）は、側板部２３ｄ前端からの張出片乗り上げ部２３ｎよりも後方まで側板部２３ｄに延在形成されている。切り欠き部２３ｈの張出片部収容部２３ｊ（以下、張出片部収容切り欠き部とも言う）は、張出片乗り上げ部２３ｎよりも後方の弾性片部収容部２３ｉ後端部から拡がって、弾性片部収容切り欠き部２３ｎの後側に形成されている。
【００８２】
図１に示すように、受け側光コネクタ２０に対して離脱状態の可動側光コネクタ３０は、プリントボード６０をコネクタ取付壁５１に向かって前進させることで、図２、図９（ａ）、（ｂ）、図１０に示すように、可動側外部ハウジング３３の挿入突片３３ｂを受け側ハウジング２１の挿入突片収容空間２１ａに挿入し、弾性係合突片３３ｃを受け側ハウジング２１の切り欠き部２３ｈに収容することができる。そして、可動側光コネクタ３０は、弾性係合突片３３ｃ先端部の突爪３３ｋを、受け側内部ハウジング２４の内部ハウジング本体２４ｃ横方向両側に開口する突爪収容空間２４ｎに入り込ませることで、可動側ハウジング３１を受け側ハウジング２１に嵌合させることができる。
【００８３】
図９（ａ）、図１０に示すように、光コネクタ１０は、可動側ハウジング３１を受け側ハウジング２１に嵌合することで、可動側光コネクタ３０のフェルール３２を受け側光コネクタ２０のフェルール３２に突き合わせ接続できる。
受け側内部ハウジング２４の内部ハウジング本体２４ｃ（以下、受け側内部ハウジング本体）横方向両側に開口する突爪収容空間２４ｎに入り込ませた突爪３３ｋは、受け側内部ハウジング本体２４ｃ横方向両側における突爪収容空間２４ｎの開口部よりも前側に位置する係止壁部２４ｍに係合する。その結果、可動側光コネクタ３０の受け側光コネクタ２０に対する後退動を規制でき、受け側光コネクタ２０及び可動側光コネクタ３０のフェルール２２、３２同士を、スプリング２６、３６の弾性付勢力によって所期の突き当て力を以て突き合わせ接続した状態を保つことができる。したがって、可動側ハウジング３１の受け側ハウジング２１に対する結合状態を保つことができ、光ファイバ７１、８１同士の光接続状態を安定に維持できる。
【００８４】
突爪収容空間２４ｎは、弾性係合突片３３ｃ先端部の突爪３３ｋを入り込ませて、突爪３３ｋを受け側内部ハウジング２４に係合させるための係合凹所として機能する。
図示例の受け側内部ハウジング２４の突爪収容空間２４ｎは、具体的には、受け側内部ハウジング２４の前側筒部２４ｆ間に確保されている。係止壁部２４ｍは、受け側内部ハウジング２４のハウジングメイン部２４ｅから前側に離隔した位置にて、受け側内部ハウジング２４の縦方向に隣り合う前側筒部２４ｆ間を橋絡する橋絡壁部として機能する。受け側内部ハウジング本体２４ｃ横方向両側における突爪収容空間２４ｎの開口部は、具体的には、受け側内部ハウジング２４のハウジングメイン部２４ｅと係止壁部２４ｍとの間に確保された空間である。
また、図１、図３（ｂ）に示すように、図示例の受け側内部ハウジング２４の突爪収容空間２４ｎは、受け側内部ハウジング本体２４ｃの前側にも開口している。受け側内部ハウジング本体２４ｃ前側に開口する突爪収容空間２４ｎの開口部は、受け側内部ハウジング２４の縦方向に隣り合う前側筒部２４ｆと、これら前側筒部２４ｆ間を橋絡する係止壁部２４ｍとによって囲まれる内側に開口している。
なお、弾性係合突片３３ｃ先端部の突爪３３ｋを入り込ませて、突爪３３ｋを受け側内部ハウジング２４に係合させるための係合凹所としては、受け側内部ハウジング本体２４ｃ横方向両側の側面から窪んで、弾性係合突片３３ｃ先端部の突爪３３ｋを収容可能に形成された凹所であれば良く、既述の突爪収容空間２４ｎに限定されるものではない。
【００８５】
光コネクタ１０は、受け側光コネクタ２０に対して離脱状態の可動側光コネクタ３０（図５（ａ）、（ｂ）、図６等参照）を受け側光コネクタ２０に結合させるべく受け側光コネクタ２０に押し込んでいくと、図７（ａ）、（ｂ）、図８に示すように、まず、可動側外部ハウジング３３の挿入突片３３ｂの受け側ハウジング２１の挿入突片収容空間２１ａへの挿入が開始される。これに伴い、可動側外部ハウジング３３の弾性係合突片３３ｃの受け側ハウジング２１の切り欠き部２３ｈへの挿入も開始される。
次いで、光コネクタ１０は、可動側光コネクタ３０の受け側光コネクタ２０への押し込み継続により、可動側光コネクタ３０の第２フェルール３２前端の接合端面３２ａが受け側光コネクタ２０の第１フェルール２２の接合端面２２ａに突き当てられる。
【００８６】
可動側光コネクタ３０は、その縦方向を受け側光コネクタ２０の縦方向に揃え、横方向を受け側光コネクタ２０の横方向に揃えて受け側光コネクタ２０に嵌合される。
図５（ｂ）、図７（ｂ）等に示すように、受け側ハウジング２１の弾性片部収容切り欠き部２３ｉの張出片乗り上げ部２３ｎよりも前側に位置する部分（前側部）の幅寸法（縦方向寸法）は、張出片部３３ｊを含む弾性係合突片３３ｃ先端部全体を収容可能な大きさとなっている。
弾性片部収容切り欠き部２３ｉを介して両側の張出片乗り上げ部２３ｎ間の間隔（換言すれば、弾性片部収容切り欠き部２３ｉの張出片乗り上げ部２３ｎ間に位置する部分の幅寸法）は、弾性係合突片３３ｃの弾性片部３３ｉを収容可能な大きさとなっている。
弾性係合突片３３ｃは、受け側光コネクタ２０に対して離脱状態の可動側光コネクタ３０を受け側光コネクタ２０に押し込んだときに、その先端部が、弾性片部収容切り欠き部２３ｉにその前端から挿入されていく。
【００８７】
次いで、光コネクタ１０は、可動側光コネクタ３０の受け側光コネクタ２０への押し込み継続により、弾性係合突片３３ｃ先端部の張出片部３３ｊが、受け側外部ハウジング２１の張出片乗り上げ部２３ｎをその前側から後側へ乗り越えて張出片部収容切り欠き部２３ｊに収容される。これにより、弾性片部収容切り欠き部２３ｊに、弾性係合突片３３ｃの弾性片部３３ｉが収容される。その結果、弾性係合突片３３ｃ先端部の突爪３３ｋが、受け側内部ハウジング２４の突爪収容空間２４ｎに入り込む。
【００８８】
図５（ａ）、（ｂ）に示すように、張出片乗り上げ部２３ｎの前端部には、受け側外部ハウジング２３前側へ行くに従って、受け側外部ハウジング２３横方向中央部に接近するように側板部２３ｅ外面に対して傾斜する前側傾斜面２３ｏが形成されている。側板部２３ｅ外面は、側板部２３ｅにおける受け側外部ハウジング２３内面とは反対側の面を指す。
図示例の張出片乗り上げ部２３ｎは、側板部２３ｅ外面から連続する頂部面２３ｑを有する。前側傾斜面２３ｏは頂部面２３ｑ前端から前側へ延在形成されている。
弾性係合突片３３ｃ先端部の張出片部３３ｊは、可動側光コネクタ３０の受け側光コネクタ２０への押し込みに伴い、張出片乗り上げ部２３ｎの前側傾斜面２３ｏに乗り上げて張出片乗り上げ部２３ｎをその後側へ乗り越える。
【００８９】
可動側光コネクタ３０の両側の弾性係合突片３３ｃは、張出片部３３ｊが張出片乗り上げ部２３ｎに乗り上げることで、互いに離隔するように弾性変形される。
可動側光コネクタ３０の両側の弾性係合突片３３ｃは、張出片部３３ｊが張出片乗り上げ部２３ｎの頂部面２３ｑを乗り越えた後、可動側光コネクタ３０の受け側光コネクタ２０への押し込みに伴い、弾性係合突片３３ｃ自体の弾性復元力によって互いに接近するように弾性復帰していき、最終的に、受け側外部ハウジング２３の切り欠き部２３ｈに収容される。その結果、弾性係合突片３３ｃ先端部の突爪３３ｋが、受け側内部ハウジング２４の突爪収容空間２４ｎに入り込む。
【００９０】
また、光コネクタ１０は、弾性係合突片３３ｃの突爪３３ｋが受け側内部ハウジング２４の突爪収容空間２４ｎに入り込んだ後の、可動側光コネクタ３０の受け側光コネクタ２０へのさらなる押し込み継続により、図１０に示すように、可動側外部ハウジング３３の挿入片部３３ｂの係合解除片部３３ｑが、受け側内部ハウジング２４の弾性係合片２４ｄと受け側外部ハウジング２３との係合を解除する。
【００９１】
なお、図９（ａ）、（ｂ）、図１０は、受け側内部ハウジング２４の弾性係合片２４ｄと受け側外部ハウジング２３との係合解除の完了後に、スプリング２６、３６の弾性によって、受け側内部ハウジング２４と可動側ハウジング３１のベース部３１ａとの間の距離が若干拡がった状態を示す。但し、受け側内部ハウジング２４と可動側ハウジング３１のベース部３１ａとの間の距離は、弾性係合突片３３ｃ先端部の突爪３３ｋが受け側内部ハウジング係止壁部２４ｍに係合することで、拡大が規制される。
【００９２】
可動側ハウジング３１の受け側内部ハウジング２４に対する嵌合は、受け側内部ハウジング２４の弾性係合片２４ｄと受け側外部ハウジング２３との係合解除が完了し、弾性係合突片３３ｃ先端部の突爪３３ｋが受け側内部ハウジング係止壁部２４ｍに係合することで完了する。可動側ハウジング３１が受け側内部ハウジング２４に嵌合すれば、可動側光コネクタ３０と受け側光コネクタ２０との結合が完了する。
【００９３】
図９（ａ）、（ｂ）、図１０は、可動側光コネクタ３０と受け側光コネクタ２０との結合が完了した状態を示す。
既述のように、受け側内部ハウジング２４は、可動側光コネクタ３０が受け側光コネクタ２０から離脱されている状態にあっては、受け側外部ハウジング２３に嵌合している。
図９（ａ）、（ｂ）、図１０に示すように、受け側内部ハウジング２４は、可動側ハウジング３１の受け側内部ハウジング２４に対する嵌合が完了したとき、受け側外部ハウジング２３に対する嵌合は解除され、可動側ハウジング３１に嵌合することとなる。このとき、受け側内部ハウジング２４は、受け側外部ハウジング２３に対してその前後方向へ相対移動自在である。また、このとき、受け側内部ハウジング２４に嵌合している可動側ハウジング３１も、受け側外部ハウジング２３に対してその前後方向へ相対移動自在である。
【００９４】
図４（ａ）、（ｃ）、図５（ａ）、（ｂ）、図６等に示すように、可動側外部ハウジング３３の挿入片部３３ｂは、可動側外部ハウジング３３の外部ハウジング胴部３３ａの端板部３３ｄを前側へ延長した延出片部３３ｍの両側に、外部ハウジング胴部３３ａの側板部３３ｅの端板部３３ｄに隣接する端部（縦方向端部）を前側に延長したリブ部３３ｎを一体化した挿入片部本体３３ｏを有する。また、挿入片部３３ｂは、挿入片部本体３３ｏ前端から前側へ突出する前端突起３３ｐを有する。
前端突起３３ｐは、挿入片部本体３３ｏの横方向両端部から前側へ突出している。
この前端突起３３ｐは、受け側外部ハウジング２３の外部ハウジング胴部２３ａ内側への挿入片部３３ｍの挿入を円滑にするものであり、挿入片部本体３３ｏから前側へ行くにしたがって先細りのテーパ状に形成されている。
【００９５】
延出片部３３ｍのうち、挿入片部３３ｂの横方向両側の前端突起３３ｐ間に位置する部分は、既述の係合解除片部３３ｑとして機能する。
図８、図１０に示すように、受け側内部ハウジング２４の弾性係合片２４ｄは、弾性延出片２４ｇ先端部と係合爪２４ｈとで構成される先端部（前端部）を有する。この弾性係合片２４ｄ先端部には、その先端から、受け側内部ハウジング２４から突出する弾性係合片２４ｄ根元側（基端部側）に行くにしたがって、弾性延出片２４ｇの、一対の弾性係合片２４ｄの対向する相手側に臨む内面からの距離が増大する傾斜面２４ｊが形成されている。
【００９６】
挿入片部３３ｂの係合解除片部３３ｑは、可動側光コネクタ３０の可動側ハウジング３１を受け側ハウジング２１に押し込んでいくことで、その前端によって、弾性係合片２４ｄ先端部の傾斜面２４ｊに当接して弾性係合片２４ｄ先端部を押圧する。そして係合解除片部３３ｑは、弾性係合片２４ｄ先端部を押圧することで弾性係合片２４ｄを弾性変形させて、弾性係合片２４ｄの係合爪２４ｈを受け側外部ハウジング２３の係合爪用窓孔２３ｇから抜き出し、弾性係合片２４ｄの受け側外部ハウジング２１に対する係合を解除する機能を果たす。
【００９７】
図８、図１０に示すように、係合解除片部３３ｑの前端部には、係合解除片部３３ｑ前端から後側（ベース部３１ａ側）へ行くにしたがって、一対の挿入片部３３ｂ間の領域とは反対の外面からの距離が次第に増大する傾斜面３３ｒが形成されている。
係合解除片部３３ｑは、可動側ハウジング３１の受け側ハウジング２１への押し込みによって、ぞの前端を、受け側外部ハウジング２３に係合している弾性係合片２４ｄ先端部の傾斜面２４ｊと、受け側外部ハウジング２３の係合爪用窓孔２３ｇから前側の部分との間に割り込ませることができる。受け側外部ハウジング２３に係合している弾性係合片２４ｄ先端部の受け側外部ハウジング２３に対する係合解除は、可動側ハウジング３１の受け側ハウジング２１への押し込みによって、楽に円滑に実現できる。
【００９８】
受け側光コネクタ２０に結合した状態の受け側光コネクタ３０は、受け側光コネクタ２０に対する抜き去り方向、すなわち受け側光コネクタ２０からその前方向へ、変位力を作用させることで、弾性係合突片３３ｃの突爪３３ｋを受け側内部ハウジング２４の突爪収容空間２４ｎから抜き出して受け側内部ハウジング２４に対する係合を解除できる。このため、受け側光コネクタ２０に結合した状態の可動側光コネクタ３０は、受け側光コネクタ２０に対する抜き去り方向へ変位力を作用させるだけで、受け側光コネクタ３０から抜き去る（離脱させる）ことができる。
【００９９】
弾性係合突片３３ｃの張出片部３３ｊは、受け側光コネクタ２０に結合状態の可動側光コネクタ３０に受け側光コネクタ２０に対して押し込み時とは反対の抜き去り方向へ移動させる変位力を作用させることで、張出片乗り上げ部２３ｎに乗り上げさせることができる。受け側光コネクタ２０に結合状態の可動側光コネクタ３０の弾性係合突片３３ｃの突爪３３ｋは、可動側光コネクタ３０に受け側光コネクタ２０に対する抜き去り方向へ移動させる変位力を作用させ、弾性係合突片３３ｃの張出片部３３ｊを張出片乗り上げ部２３ｎに乗り上げさせることで、受け側内部ハウジング２４の突爪収容空間２４ｎから抜き出される。これにより、弾性係合突片３３ｃの受け側内部ハウジング２４に対する係合を解除できる。
【０１００】
図５（ａ）、（ｂ）に示すように、張出片乗り上げ部２３ｎの頂部面２３ｑ後側には、受け側外部ハウジング２３後側へ行くに従って、受け側外部ハウジング２３横方向中央部に接近するように側板部２３ｅ外面に対して傾斜する後側傾斜面２３ｐが形成されている。前側傾斜面２３ｏは張出片乗り上げ部２３ｎの頂部面２３ｑ後端から後側へ延在形成されている。
図５（ａ）、図９（ａ）に示すように、可動側光コネクタ３０の弾性係合突片３３ｃ先端部の張出片部３３ｊの後端は、可動側光コネクタ３０前後方向において弾性係合突片３３ｃの突爪３３ｋよりも後側に位置する。
【０１０１】
弾性係合突片３３ｃ先端部の張出片部３３ｊは、受け側光コネクタ２０に結合状態の可動側光コネクタ３０に受け側光コネクタ２０に対する抜き去り方向へ移動させる変位力を作用させることで、張出片乗り上げ部２３ｎの後側傾斜面２３ｑに乗り上げて張出片乗り上げ部２３ｎをその前側へ乗り越える。
可動側光コネクタ３０の両側の弾性係合突片３３ｃは、張出片部３３ｊが張出片乗り上げ部２３ｎに乗り上げることで、互いに離隔するように弾性変形された後、張出片部３３ｊが張出片乗り上げ部２３ｎを乗り越えることで弾性復帰する。
【０１０２】
また、図５（ａ）、図９（ａ）に示すように、可動側光コネクタ３０の弾性係合突片３３ｃの張出片部３３ｊの後端部には、張出片部傾斜面３３ｓが形成されている。
この張出片部傾斜面３３ｓは、張出片部３３ｊ後端から前側へ行くにしたがって、張出片部３３ｊにおける一対の弾性係合突片３３ｃの互いに対面する内面側とは反対の外面からの距離が増大するように、張出片部３３ｊ外面に対して傾斜して形成されている。
受け側光コネクタ２０に結合状態の可動側光コネクタ３０は、受け側光コネクタ２０から抜き去るべく、プリントボード６０をコネクタ取付壁５１から離隔する方向に引っ張ることで、張出片乗り上げ部２３ｎの後側傾斜面２３ｐに受け側ハウジング２１後側から当接した張出片部３３ｊの張出片部傾斜面３３ｓが後側傾斜面２３ｐに沿って摺動する。このため、張出片部３３ｊの張出片乗り上げ部２３ｎへの乗り上げ、乗り越えが円滑に実現される。
【０１０３】
光コネクタ１０の可動側ハウジング３１の弾性係合突片３３ｃは、可動側ハウジング３１を受け側ハウジング２１に嵌合したときに、受け側ハウジング２１外側に配置されるのではなく、受け側外部ハウジング２３の切り欠き部２３ｈに入り込んで受け側内部ハウジング２４に係合する。このため、可動側ハウジング３１は、従来構成のバックプレーン光コネクタのＰＨハウジングに比べて小型化することが可能である。
サイズの小さい可動側ハウジング３１の採用は、可動側ハウジング３１を取り付けたプリントボード６０における電気配線回路の形成可能領域を出来るだけ大きく確保することに有利である。また、サイズの小さい可動側ハウジング３１の採用は、バックプレーン、ミドルプレーンといったコネクタ取付壁に受け側ハウジング２１を複数取り付ける場合の設置ピッチの縮小に有効に寄与する。
【０１０４】
図１１（ａ）、（ｂ）、図１２（ａ）、（ｂ）は、既述の光コネクタ１０について、受け側光コネクタ２０の内部ハウジング２４に突爪２４ｏを突設し、可動側光コネクタ３０の弾性係合突片３３ｃから突爪３３ｋを省略して、受け側光コネクタの突爪２４ｏを入り込ませる係合凹所として係合用窓孔３３ｔを形成した構成を例示する。図１１（ａ）、（ｂ）に示す光コネクタに符号１０Ａを付記する。
図１１（ａ）、（ｂ）、図１２（ａ）、（ｂ）に例示した可動側光コネクタ３０の可動側外部ハウジング３３は、両側の弾性係合突片３３ｃを連結する連結部３３ｕを有する。
受け側光コネクタ２０の内部ハウジング２４に突爪２４ｏを突設した点、可動側光コネクタ３０の弾性係合突片３３ｃから突爪３３ｋを省略して係合用窓孔３３ｔを形成した点、可動側外部ハウジング３３に連結部３３ｕを設けた点、以外の構成は、既述の光コネクタ１０と同様であるため、ここでは説明を省略する。
【０１０５】
図１１（ａ）、（ｂ）、図１２（ａ）、（ｂ）に例示した光コネクタ１０Ａは、受け側光コネクタ２０に対して離脱状態の可動側光コネクタ３０を受け側光コネクタ２０に押し込むことで、弾性係合突片３３ｃの係合用窓孔３３ｔに受け側内部ハウジング２４の突爪２４ｏを入り込ませて、可動側ハウジング３１と受け側内部ハウジング２４との係合を実現できる。突爪２４ｏは、既述の光コネクタ１０の受け側内部ハウジング２４の係止突部２４ｍから受け側内部ハウジング２４に突出している。
【０１０６】
図１１（ａ）、（ｂ）、図１２（ａ）、（ｂ）に例示した可動側外部ハウジング３３の連結部３３ｕは、可動側外部ハウジング３３の横方向（両側の側板部３３ｅの間隔方向）に延在する棒状に形成されている。また、この連結部３３ｕは、可動側外部ハウジング３３は、両側の弾性係合突片３３ｃの係合用窓孔３３ｔよりも後側の部分同士を橋絡している。この連結部３３ｕは、弾性係合突片３３ｃの過剰な弾性変形を防止して弾性係合突片３３ｃの破損を防ぐ機能を果たす。
図１１（ａ）、図１２（ａ）、（ｂ）に示すように、連結部３３ｕは、可動側内部ハウジング３４の前側筒部３４ｆの間に位置する部分の前端に当接配置されている。連結部３３ｕは、可動側ハウジング３１を受け側ハウジング２１に嵌合したときに、可動側内部ハウジング３４前端と受け側内部ハウジング２４前端との間に配置される。但し、連結部３３ｕは、可動側ハウジング３１を受け側ハウジング２１に嵌合したときに、第１フェルール２２と第２フェルール３２との突き合わせの障害にならない寸法に形成されている。
【０１０７】
次に、本発明に係る別実施形態の光コネクタ１０Ｂを図１３（ａ）、（ｂ）〜図１５（ａ）、（ｂ）を参照して説明する。
図１３（ａ）、（ｂ）〜図１５（ａ）、（ｂ）に示すように、この実施形態の光コネクタ１０Ｂは、既述の光コネクタ１０の受け側外部ハウジング２３から張出片乗り上げ部２３ｎを省略した受け側外部ハウジング４１を有する受け側光コネクタ４０（第１光コネクタ）を採用している。また、この光コネクタ１０Ｂは、既述の光コネクタ１０の可動側外部ハウジング３３の弾性係合突片３３ｃにかえて、該弾性係合突片３３ｃとは構成が異なる弾性係合突片９２が形成された可動側外部ハウジング９１を有する可動側光コネクタ９０（第２光コネクタ）を採用している。
この実施形態の光コネクタ１０Ｂの既述の光コネクタ１０と同様の構成部分には共通の符号を付し、その説明を省略または簡略化する。
【０１０８】
図１３（ａ）、図１４（ａ）、（ｂ）に示すように、可動側光コネクタ９０は、既述の光コネクタ１０の可動側外部ハウジング３１の弾性係合突片３３ｃとは異なる弾性係合突片９２を採用した点のみが、既述の可動側光コネクタ３０と相違する。可動側光コネクタ９０の弾性係合突片９２以外の構成は、既述の可動側光コネクタ３０と同様である。
可動側光コネクタ９０は、弾性係合突片９２が形成された可動側外部ハウジング９１と内部ハウジング３４とで構成された可動側ハウジング９５（第２ハウジング）を有する。
【０１０９】
可動側光コネクタ９０について、図１３（ａ）、（ｂ）上下方向、図１４（ａ）紙面奥行き方向、図１４（ｂ）上下方向、図１５（ａ）紙面奥行き方向、図１５（ｂ）上下方向を縦方向、図１４（ａ）上下方向、図１４（ｂ）紙面奥行き方向、図１５（ａ）上下方向、図１５（ｂ）紙面奥行き方向を横方向、として説明する。
【０１１０】
図１３（ａ）、図１４（ａ）に示すように、可動側光コネクタ９０の弾性係合突片９２は、可動側外部ハウジング９１の横方向両側に形成されている。
各弾性係合突片９２は、可動側外部ハウジング９１の外部ハウジング胴部３３ａから前側へ延出する弾性片部９３と、この弾性片部９３の先端部の一対の弾性係合突片９２の互いに対面する内面側に突設された係合突起９４とを有する。
【０１１１】
弾性片部９３は外部ハウジング胴部３３ａの縦方向中央部を前側へ延長した板片状に形成されている。この弾性片部９３の、先細り形状に形成された前端部から後側は、その全体が可動側光コネクタ９０の縦方向に一致する幅方向寸法が一定で可動側光コネクタ９０前後方向に延在している。この弾性片部９３は、張出片部３３ｊ（図５（ｂ）等参照）を有していない点で、既述の光コネクタ１０の可動側光コネクタ３０の弾性係合突片３３ｃの弾性片部３３ｉと異なる。
【０１１２】
図１３（ａ）、図１４（ａ）に示すように、図示例の弾性係合突片９２の係合突起９４は、可動側光コネクタ９０縦方向に垂直の断面（横断面）が部分円状をなす突部である。この係合突起９４は、その頂部から可動側光コネクタ９０前後方向に離隔するにしたがって弾性片部９３からの突出寸法が縮小する横断面形状に形成されている。
【０１１３】
係合突起９４は、受け側光コネクタ４０からその前側に離隔して配置された可動側光コネクタ９０を受け側光コネクタ４０に押し込んだときに、受け側光コネクタ４０の内部ハウジング４４の係合凹所４５に入り込ませて受け側内部ハウジング４４に係合させる。可動側光コネクタ９０は、係合突起９４を受け側内部ハウジング４４に係合させて受け側光コネクタ４０に嵌合する。
【０１１４】
図１３（ｂ）、図１４（ａ）、（ｂ）に示すように、この光コネクタ１０Ｂの受け側外部ハウジング４１は、既述の光コネクタ１０の受け側外部ハウジング２３に、張出片部収容部２３ｊを有する切り欠き部２３ｈにかえて、張出片部収容部２３ｊを有していない切り欠き部４２を形成したものである。切り欠き部４２は、可動側光コネクタ９０の弾性係合突片９２の全体を収容できる。また、この受け側外部ハウジング４１は、切り欠き部４２に収容された可動側光コネクタ９０の弾性係合突片９２を切り欠き部４２に押さえ込んで受け側外部ハウジング４１内側とは反対の外側への浮き出しを規制する押さえ片４３を有する。
【０１１５】
また、受け側光コネクタ４０は、受け側外部ハウジング４１の内側に、可動側光コネクタ９０の弾性係合突片９２の係合突起９４を入り込ませる係合凹所４５が形成された内部ハウジング４４を収容している。
受け側内部ハウジング４４の係合凹所４５以外の構成は、既述の光コネクタ１０の受け側内部ハウジング２４と同様である。
【０１１６】
切り欠き部４２、押さえ片４３、係合凹所４５以外の受け側光コネクタ４０の構成は、既述の光コネクタ１０の受け側光コネクタ２０と同様である。
受け側光コネクタ４０は、受け側外部ハウジング４１と内部ハウジング４４とで構成された受け側ハウジング４６（第１ハウジング）を有する。
【０１１７】
受け側光コネクタ４０について、図１３（ａ）、（ｂ）上下方向、図１４（ａ）紙面奥行き方向、図１４（ｂ）上下方向、図１５（ａ）紙面奥行き方向、図１５（ｂ）上下方向を縦方向、図１４（ａ）上下方向、図１４（ｂ）紙面奥行き方向、図１５（ａ）上下方向、図１５（ｂ）紙面奥行き方向を横方向、として説明する。
【０１１８】
図１３（ｂ）、図１４（ａ）、（ｂ）に示すように、受け側光コネクタ４０の切り欠き部４２は、受け側外部ハウジング４１の外部ハウジング胴部２３ａの側板部２３ｄ前端から受け側外部ハウジング４１後側へ向かって延在形成されている。この切り欠き部４２は、前側に行くにしたがって受け側光コネクタ４０縦方向（切り欠き部幅方向）の寸法が増大する前端開口部４２ａと、この前端開口部４２ａから後側へ向かって幅方向寸法一定で延在する切り欠き主部４２ｂとを有している。
切り欠き部４２は、受け側外部ハウジング４１の横方向両側に形成されている。
【０１１９】
図１３（ｂ）、図１４（ａ）、（ｂ）に示すように、図示例の受け側外部ハウジング４１の押さえ片４３は、外部ハウジング胴部２３ａの側板部２３ｄに沿って延在して、切り欠き部４２（具体的には切り欠き主部４２ｂ）の後端部を覆う板状に形成されている。
図１４（ａ）に示すように、図示例の押さえ片４３の切り欠き部４２を介して内部ハウジング２４に対面する面（内面４３ａ）は、角筒状の受け側外部ハウジング４１の側板部２３ｄ外面に面一に形成されている。
【０１２０】
図１３（ｂ）、図１４（ａ）、（ｂ）に示す受け側内部ハウジング４４は、その弾性係合片２４ｄ（図６等参照）の係合爪２４ｈを受け側外部ハウジング４１の係合爪用窓孔２３ｇに入り込ませて係合している。図１３（ｂ）、図１４（ａ）、（ｂ）に示す受け側内部ハウジング４４の受け側外部ハウジング４１に対する位置を、以下、係止時位置とも言う。
【０１２１】
図１３（ｂ）、図１４（ａ）に示すように、受け側内部ハウジング４４の係合凹所４５は、受け側内部ハウジング４４の内部ハウジング本体２４ｃ横方向両側のそれぞれにその側面から窪んで形成されている。
受け側外部ハウジング４１に対する係止時位置にあるときの受け側内部ハウジング４４の内部ハウジング本体２４ｃ横方向両側の係合凹所４５は、その全体が受け側外部ハウジング４１の切り欠き部４２に連通し、かつ後端部のみが受け側外部ハウジング４１の押さえ片４３に覆われる。係合凹所４５の後端部から前側の部分は、受け側外部ハウジング４１の押さえ片４３よりも前側に位置し、押さえ片４３に覆われずに露呈する。
【０１２２】
可動側光コネクタ９０は、受け側光コネクタ４０からその前側に離隔した離脱位置から前進させて受け側光コネクタ４０に押し込むことで、まず、可動側外部ハウジング９１の挿入突片３３ｂ（図１３（ａ）、図１４（ｂ）等参照）の受け側光コネクタ４０の挿入突片収容空間２１ａ（図６等参照）への挿入が開始される。これに伴い、可動側外部ハウジング９１の弾性係合突片９２の受け側外部ハウジング４１の切り欠き部４２への挿入も開始される。
なお、この光コネクタ１０Ｂにおいて、可動側光コネクタ９０が受け側光コネクタ４０からその前側に離隔した離脱位置にあるとき、受け側内部ハウジング４４は受け側外部ハウジング４１に対する係止時位置にある。
【０１２３】
次いで、可動側光コネクタ９０の第２フェルール３２前端の接合端面３２ａは、可動側光コネクタ９０の受け側光コネクタ４０への押し込み継続により、受け側光コネクタ４０の第１フェルール２２の接合端面２２ａに突き当てられる。
次いで、光コネクタ１０Ｂは、可動側光コネクタ９０の受け側光コネクタ４０への押し込みのさらなる継続により、スプリング２６、３６を圧縮変形させた後に、弾性係合突片９２の係合突起９４を受け側内部ハウジング４４の係合凹所４５に入り込ませる。可動側光コネクタ９０は、係合突起９４を係合凹所４５に入り込ませて受け側内部ハウジング４４に係合させることで受け側内部ハウジング４４と結合される。その結果、スプリング２６、３６の弾性付勢力によってフェルール２２、３２同士を目的の突き合わせ力を以て互いに突き合わせて、光ファイバ７１、８１同士の光接続状態を安定維持できる。
【０１２４】
受け側外部ハウジング４１の切り欠き部４２に挿入された可動側外部ハウジング９１の一対の弾性係合突片９２前端部の係合突起９４は、受け側内側ハウジング４４のうち切り欠き部４２に露呈する部分に当接する。そして、この係合突起９４は、可動側光コネクタ９０の受け側光コネクタ４０への押し込みに伴い受け側内側ハウジング４４に摺動した後、受け側内部ハウジング４４の係合凹所４５に入り込む。
【０１２５】
なお、既述のように、受け側外部ハウジング４１に対する係止位置の受け側内側ハウジング４４の係合凹所４５の後端部は、受け側外部ハウジング４１の押さえ片４３によって覆われているが、弾性係合突片９２前端部の係合突起９４は、可動側光コネクタ９０の受け側光コネクタ４０への押し込みによって係合凹所４５に円滑に入りこませることができる。
【０１２６】
押さえ片４３の前端部には、前側に行くにしたがって押さえ片４３の内面４３ａとは反対の外面からの距離が縮小する、誘い傾斜面４３ｂが押さえ片内面４３ａから延在形成されている。押さえ片内面４３ａの前端は、誘い傾斜面４３ｂの後端と押さえ片内面４３ａとの境界位置にある。
【０１２７】
可動側光コネクタ９０を受け側光コネクタ４０にその後端に向かって押し込んで行ったとき、誘い傾斜面４３ｂに当接した弾性係合突片９２前端は、誘い傾斜面４３ｂに案内されて押さえ片４３の内面４３ａ側へ移動する。弾性係合突片９２前端は、可動側光コネクタ９０の受け側光コネクタ４０への押し込みによって、最終的に、押さえ片４３と受け側内部ハウジング４４との間の切り欠き部４２後端部に入り込む。その結果、弾性係合突片９２前端部の係合突起９４は、受け側内側ハウジング４４の係合凹所４５に円滑かつ確実に入り込む。
【０１２８】
可動側光コネクタ９０の一対の弾性係合突片９２の係合突起９４の頂部間の距離は、受け側内側ハウジング４４の横方向寸法に比べて若干小さい。このため、一対の弾性係合突片９２の弾性片部９３には、受け側外部ハウジング４１の切り欠き部４２に挿入した一対の弾性係合突片９２の係合突起９４をそれぞれ受け側内側ハウジング４４に当接させたときに、各弾性係合突片９２の弾性片部９３の前端部間が後端部間に比べて若干大きく押し拡げられる弾性変形が与えられる。
【０１２９】
一対の弾性係合突片９２は、各弾性係合突片９２の係合突起９４が受け側内側ハウジング４４の係合凹所４５よりも前側の部分に当接しているときに、弾性片部９３の前端部間が後端部間に比べて若干大きく押し拡げられた状態となる。
一対の弾性係合突片９２の弾性片部９３は、可動側光コネクタ９０の受け側光コネクタ４０への押し込みによって係合突起９４が係合凹所４５に入り込むことで、外部ハウジング胴部３３ａから前側へ真っ直ぐに延在する状態に弾性復帰する。また、これにより、可動側光コネクタ９０は、各弾性係合突片９２の係合突起９４を、受け側内側ハウジング４４の係合凹所４５に確実に入り込ませることができる。
また、係合突起９４が係合凹所４５に入り込んだとき、各弾性係合突片９２の弾性片部９３は、一対の弾性係合突片９２の互いに対面する内面側とは反対の外面を受け側外部ハウジング胴部２３ａの外周側面に面一に位置合わせして切り欠き部４２に収容される。
【０１３０】
可動側光コネクタ９０の挿入片部３３ｂの係合解除片部３３ｑ（図１０参照）は、各弾性係合突片９２の係合突起９４を受け側内側ハウジング４４の係合凹所４５に入り込ませだ後の可動側光コネクタ９０の受け側光コネクタ４０へのさらなる押し込み継続により、が受け側内部ハウジング４４の弾性係合片２４ｄと受け側外部ハウジング４１との係合を解除する。挿入片部３３ｂの係合解除片部３３ｑ（図１０参照）によって、受け側内部ハウジング４４の弾性係合片２４ｄと受け側外部ハウジング４１との係合を解除（受け側内部ハウジング４４の受け側外部ハウジング４１に対する係合解除）する構成は、既述の光コネクタ１０と同様である。
【０１３１】
可動側光コネクタ９０は、受け側内部ハウジング４４の受け側外部ハウジング４１に対する係合解除後の受け側光コネクタ４０へのさらなる押し込み継続により、受け側内部ハウジング４４を受け側外部ハウジング４１に対してその後側へ向かって押動する。図１５（ｂ）に示すように、可動側光コネクタ９０の受け側光コネクタ４０への押し込みは、可動側外部ハウジング胴部３３ａ前端を、受け側外部ハウジング４１前端に当接させて終了する。
可動側光コネクタ９０の受け側光コネクタ４０への押し込みが終了したとき、可動側光コネクタ９０は受け側光コネクタ４０（具体的には受け側外部ハウジング４１）に嵌合する。
【０１３２】
図１５（ａ）、（ｂ）に示すように、可動側光コネクタ９０の弾性係合突片９２は、受け側内部ハウジング４４の受け側外部ハウジング４１に対する係合解除後の可動側光コネクタ９０の受け側光コネクタ４０への押し込みにより、係合突起９４を係合凹所４５に入り込ませたまま、受け側内部ハウジング４４とともに受け側外部ハウジング４１に対してその後側へ向かって移動する。可動側光コネクタ９０の受け側光コネクタ４０への押し込みが終了したとき、可動側光コネクタ９０の弾性係合突片９２は、その前端部が、受け側外部ハウジング４１の押さえ片４３と受け側内部ハウジング４４との間に挿入される。
【０１３３】
つまり、可動側光コネクタ９０の弾性係合突片９２の前端部は、受け側外部ハウジング４１の押さえ片４３によって受け側内部ハウジング４４から大きく浮き上がらないように押さえ込まれる。受け側外部ハウジング４１の押さえ片４３は、弾性係合突片９２の受け側内部ハウジング４４から浮き上がる方向の弾性変形を規制して、弾性係合突片９２前端部の係合突起９４が係合凹所４５から抜け出ることを阻止する。弾性係合突片９２の前端部を、受け側外部ハウジング４１の押さえ片４３と受け側内部ハウジング４４との間に挿入した構成は、係合凹所４５に入り込んだ係合突起９４の受け側内部ハウジング４４に対する係合状態の安定維持に有効に寄与する。
【０１３４】
図１５（ａ）、（ｂ）に示すように、弾性係合突片９２前端部の受け側内部ハウジング４４からの浮き上がり方向の変位を押さえ片４３によって規制した構成は、例えば作業者の手指や手工具等が弾性係合突片９２前端部に接触することを防ぐ。このため、作業者の手指や手工具等が弾性係合突片９２前端部に接触して、弾性係合突片９２前端部に受け側内部ハウジング４４からの浮き上がり方向の変位が与えられ、係合凹所４５に入り込ませた係合突起９４が係合凹所４５から抜け出てしまうといった不都合を防止できる。
【０１３５】
受け側内部ハウジング４４は、受け側外部ハウジング４１に対する係合が解除された状態において、受け側外部ハウジング４１に対してその前後方向（中心軸線方向）にスライド移動可能である。
係合突起９４を受け側内部ハウジング４４に係合させた弾性係合突片９２の前端部は、受け側内部ハウジング４４の受け側外部ハウジング４１に対する係合が解除された状態において、可動側光コネクタ９０を手動等で受け側外部ハウジング４１に向かって進退動させることで、受け側外部ハウジング４１の押さえ片４３と受け側内部ハウジング４４との間の空間に対して挿脱可能である。
【０１３６】
受け側光コネクタ４０に嵌合させた可動側光コネクタ９０（図１５（ａ）、（ｂ）参照）は、手動等で受け側光コネクタ４０に対してその前方への変位力を与える（例えばプリントボード６０を引っ張る）ことで、受け側内部ハウジング４４との結合状態を保ったまま、受け側外部ハウジング４１に対してその前側へ相対移動（後退動）させることができる。その結果、受け側外部ハウジング４１の押さえ片４３と受け側内部ハウジング４４との間に配置されていた弾性係合突片９２前端部を押さえ片４３から前側へ抜き出すことができる。
【０１３７】
既述のように、図示例の弾性係合突片９２の係合突起９４は部分円状をなす横断面形状を有する。この係合突起９４の頂部から後側（図４（ａ）、図１５（ａ）において左側）の部分は、後側に行くにしたがって弾性片部９３からの突出寸法が縮小する係合解除部９４ａとされている。
また、図１４（ａ）に示すように、受け側内部ハウジング４４の係合凹所４５の前後方向中央部を介して前後両側には、前後方向中央部側に行くにしたがって受け側内部ハウジング４４外面からの深さが深くなる凹所傾斜面４５ａ、４５ｂが形成されている。また、図１３（ｂ）、図１４（ａ）に示すように、係合凹所４５は、前後の凹所傾斜面４５ａ、４５ｂの間に、これら凹所傾斜面４５ａ、４５ｂからさらに窪んで形成された中央凹部４５ｃを有する。
【０１３８】
受け側外部ハウジング４１の押さえ片４３と受け側内部ハウジング４４との間から押さえ片４３前側へ抜き出した弾性係合突片９２は、可動側光コネクタ９０の受け側光コネクタ４０に対する後退動によって、受け側内部ハウジング４４との係合を解除できる。
【０１３９】
受け側内部ハウジング４４は、弾性係合突片９２を押さえ片４３前側へ抜き出した後の可動側光コネクタ９０の後退動によって、その後端部の前進規制突起２４ｉ（図６参照）が受け側外部ハウジング４１後端にその後側から当接する位置まで、可動側光コネクタ９０との結合状態を保ったまま受け側外部ハウジング４１に対して前進する。受け側内部ハウジング４４は、前進規制突起２４ｉが受け側外部ハウジング４１後端に当接することでそれ以上の前進が規制される。
【０１４０】
この光コネクタ１０Ｂは、受け側内部ハウジング４４の前進規制突起２４ｉが受け側外部ハウジング４１後端に当接した後の可動側光コネクタ９０の後退動によって、弾性係合突片９２の係合突起９４の係合解除部９４を係合凹所４５の前側の凹所傾斜面４５ａに沿って移動させることができる。その結果、この光コネクタ１０Ｂは、係合突起９４を係合凹所４５から抜き出して、弾性係合突片９２の受け側内部ハウジング４４に対する係合を解除できる。
【０１４１】
可動側光コネクタ９０は、弾性係合突片９２の受け側内部ハウジング４４に対する係合が解除されたなら、前記後退動によって受け側光コネクタ４０から抜き去る（離脱させる）ことができ、図１４（ａ）、（ｂ）に示す状態に復帰する。
受け側内部ハウジング４４は、前進規制突起２４ｉ（図６参照）が受け側外部ハウジング４１後端に当接すると同時かあるいはその直前に、弾性係合片２４ｄの係合爪２４ｈが受け側外部ハウジング４１の係合爪用窓孔２３ｇ（図６参照）に入り込んで、受け側外部ハウジング４１に対する係止時位置に配置される。
【０１４２】
この光コネクタ１０Ｂの受け側外部ハウジング４１には、可動側光コネクタ９０の弾性係合突片９２の受け側内部ハウジング４４に対する係脱の際に弾性係合突片９２を乗り越えさせる部分が存在しない。この光コネクタ１０Ｂの受け側外部ハウジング４１及び弾性係合突片９２は、既述の光コネクタ１０の受け側外部ハウジング２３及び弾性係合突片３３ｃに比べて構造が単純であり、製造が容易で、低コスト化も容易に実現できる。
【０１４３】
また、弾性係合突片９２の係合突起９４は、その頂部から後側へ行くにしたがって弾性片部９３からの突出寸法が縮小する係合解除部を有する形状であれば良く、図１３（ａ）、図１４（ａ）に例示した形状に限定されない。
但し、図１３（ａ）、図１４（ａ）に例示したように、横断面形状が部分円状をなす係合突起９４は、受け側内部ハウジング４４の係合凹所４５に対する挿脱、受け側内部ハウジング４４に対する係脱を円滑に行える。このため、図示例の係合突起９４を採用した光コネクタ１０Ｂは、係合突起９４の受け側内部ハウジング４４に対する係脱の際の振動発生を抑えて、光コネクタ１０Ｂ内の活線状態の光ファイバの光伝送に影響（瞬断等）を与えないといった利点がある。
【０１４４】
係合突起９４としては、受け側内部ハウジング４４に対する係脱の際の振動抑制の点では、横断面形状が部分円状の係合解除部を有する構成を採用することが有利である。
図１４（ａ）に例示したように、係合凹所４５の前後方向中央部を介して前後両側に凹所傾斜面４５ａ、４５ｂを形成（特に、前側の凹所傾斜面４５ａの形成）した構成も、係合突起９４の受け側内部ハウジング４４に対する係脱の際の振動抑制に有効に寄与する。
【０１４５】
なお、弾性係合突片９２を係合させて受け側光コネクタ４０に嵌合させた可動側光コネクタ９０は、可動側光コネクタ９０に後退動の変位力を与えて、弾性係合突片９２の係合突起９４を受け側内部ハウジング４４の係合凹所４５から強制的に抜き出さない限り、受け側内部ハウジング４４との結合が解除されない。
この光コネクタ１０Ｂは、例えばプラグインユニット５０（図１参照）のガイド壁５２、５３等に、受け側光コネクタ４０に嵌合させた可動側光コネクタ９０が取り付けられているプリントボード６０のバックプレーン５１に対する後退を規制、許可切り換え可能なストッパ機構を設けた構成も採用可能である。このストッパ機構は、図１等を参照して説明した光コネクタ１０、図１１（ａ）、（ｂ）等をを参照して説明した光コネクタ１０Ａにも適用可能である。
【０１４６】
以上、本発明を最良の形態に基づいて説明してきたが、本発明は上述の最良の形態に限定されるものではなく、本発明の要旨を逸脱しない範囲で種々の改変が可能である。
例えば光コネクタの具体的構成は、本発明の技術的思想に適合する限り、なんら限定されるものではない。
【０１４７】
光コネクタとしては、コネクタ取付壁５１に取り付けた受け側ハウジング２１（第１ハウジング）と、プリントボード６０に取り付けた可動側ハウジング３１（第２ハウジング）とを有する構成に限定されない。例えば、光コネクタの第１ハウジングは、コネクタ取付壁５１以外のコネクタ支持部材に取り付けられていても良い。また、第２ハウジングは、例えば、プリントボード６０以外の第２ハウジング支持部材に取り付けても良く、支持部材に取り付けることなく、直接、作業者が手指で把持して、第１ハウジングに脱着する構成であって良い。
【符号の説明】
【０１４８】
１０、１０Ａ、１０Ｂ…光コネクタ、２０…受け側光コネクタ、２１…受け側ハウジング（第１ハウジング）、２２…第１フェルール、２３…外部ハウジング、２４…内部ハウジング、２４ｎ…係合凹所（突爪収容空間）、２４ｏ…突爪、３０…可動側光コネクタ、３１…可動側ハウジング（第２ハウジング）、３１ａ…ベース部、３２…第２フェルール、３３ｂ…挿入片部、３３ｃ…弾性係合突片、３３ｉ…弾性片部、３３ｊ…張出片部、３３ｋ…突爪、３３ｔ…係合凹所（係合用窓孔）、４０…受け側光コネクタ、４１…外部ハウジング、４２…切り欠き部、４３…押さえ片、４４…内部ハウジング、４５…係合凹所、４６…受け側ハウジング（第１ハウジング）、５１…コネクタ取付壁、９０…可動側光コネクタ、９１…外部ハウジング、９２…弾性係合突片、９３…弾性片部、９４…係合突起、９４…係合解除部、９５…可動側ハウジング（第２ハウジング）。
【図１】
2014112218.tif 000003
【図２】
2014112218.tif 000004
【図３】
2014112218.tif 000005
【図４】
2014112218.tif 000006
【図５】
2014112218.tif 000007
【図６】
2014112218.tif 000008
【図７】
2014112218.tif 000009
【図８】
2014112218.tif 000010
【図９】
2014112218.tif 000011
【図１０】
2014112218.tif 000012
【図１１】
2014112218.tif 000013
【図１２】
2014112218.tif 000014
【図１３】
2014112218.tif 000015
【図１４】
2014112218.tif 000016
【図１５】
2014112218.tif 000017